(57)【要約】  本発明はフィードバック情報の伝送方法及び装置を開示し、ダウンリンクデータ伝送に用いる動的に変化するＴＴＩ長に対し、新しいフィードバックタイミングを定義して、処理遅延を満たす最も早いアップリンク送信リソースを介して送信されるダウンリンクデータのＡＣＫ/ＮＡＣＫフィードバック情報を決定し、システム遅延を短縮する。本発明に係るフィードバック情報の送信方法は、ダウンリンク伝送を受信するステップと、少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信ステップとを備え、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
2019514259.tif 000002
【特許請求の範囲】
【請求項１】
ダウンリンク伝送を受信するステップと、
少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信するステップとを備え、
前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長であることを特徴とするフィードバック情報の送信方法。
【請求項２】
前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数であることを特徴とする請求項１に記載のフィードバック情報の送信方法。
【請求項３】
前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値であることを特徴とする請求項１に記載のフィードバック情報の送信方法。
【請求項４】
少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定することを特徴とする請求項１に記載のフィードバック情報の送信方法。
【請求項５】
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定することを特徴とする請求項１に記載のフィードバック情報の送信方法。
【請求項６】
前記設定シグナリングは、高位層シグナリングであるか、前記設定シグナリングであり、前記ダウンリンク伝送に対応する第１物理ダウンリンク制御チャネルに含まれ、
及び/または、前記設定シグナリング、異なるＴＴＩ長を利用するダウンリンク伝送のために設定した前記第２ＴＴＩ長は同様であるかまたは異なることを特徴とする請求項１、請求項３、請求項４または請求項５に記載のフィードバック情報の送信方法。
【請求項７】
前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示することを特徴とする請求項１、請求項３、請求項４または請求項５に記載のフィードバック情報の送信方法。
【請求項８】
前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボルまたはＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩであることを特徴とする請求項２、請求項３、請求項４または請求項５に記載のフィードバック情報の送信方法。
【請求項９】
複数の前記ダウンリンク伝送のＡＣＫ/ＮＡＣＫフィードバック情報が同１のアップリンク時間領域におけるリソース位置で送信されると確定する場合、
複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードし、前記アップリンク時間領域におけるリソース位置において、前記カスケードされた後のＡＣＫ/ＮＡＣＫフィードバック情報を送信することを特徴とする請求項１ないし請求項５のいずれか１項に記載のフィードバック情報の送信方法。
【請求項１０】
前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルであることを特徴とする請求項１ないし請求項５のいずれか１項に記載のフィードバック情報の送信方法。
【請求項１１】
前記第２ＴＴＩ長は、エレメンタリー短いＴＴＩユニットであり、前記エレメンタリー短いＴＴＩユニットは、時間領域において伝送するエレメンタリー単位であるか、または、
前記第２ＴＴＩ長は、システムによりサポートされる複数のＴＴＩ長のうちの１つであることを特徴とする請求項１に記載のフィードバック情報の送信方法。
【請求項１２】
ダウンリンク伝送を送信するステップと、
少なくとも前記ダウンリンク伝送のＴＴＩ長及び/または第２ＴＴＩ長に基づき、前記ダウンリンク伝送のＡＣＫ/ＮＡＣＫフィードバック情報伝送のアップリンク時間領域におけるリソース位置を確定し、前記アップリンク時間領域におけるリソース位置において、前記ダウンリンク伝送のＡＣＫ/ＮＡＣＫフィードバック情報を受信するステップとを備え、
前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長であることを特徴とするフィードバック情報の受信方法。
【請求項１３】
前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数であることを特徴とする請求項１２に記載のフィードバック情報の受信方法。
【請求項１４】
前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにいいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値であることを特徴とする請求項１３に記載のフィードバック情報の受信方法。
【請求項１５】
少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定することを特徴とする請求項１２に記載のフィードバック情報の受信方法。
【請求項１６】
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定することを特徴とする請求項１５に記載のフィードバック情報の受信方法。
【請求項１７】
前記設定シグナリングは、高位層シグナリングであるか、前記設定シグナリングであり、前記ダウンリンク伝送に対応する第１物理ダウンリンク制御チャネルに含まれ、
及び/または、前記設定シグナリング、異なるＴＴＩ長を利用するダウンリンク伝送のために設定した前記第２ＴＴＩ長は同様であるかまたは異なることを特徴とする請求項１２、請求項１４、請求項１５または請求項１６に記載のフィードバック情報の受信方法。
【請求項１８】
前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示することを特徴とする請求項１２、請求項１４、請求項１５または請求項１６に記載のフィードバック情報の受信方法。
【請求項１９】
前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボル/ＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩであることを特徴とする請求項１３ないし請求項１６のいずれか１項に記載のフィードバック情報の受信方法。
【請求項２０】
複数の前記ダウンリンク伝送のＡＣＫ/ＮＡＣＫフィードバック情報が同１のアップリンク時間領域におけるリソース位置で送信されると確定する場合、
前記ＡＣＫ/ＮＡＣＫフィードバック情報は、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードして得られたものであると確定することを特徴とする請求項１２ないし請求項１６のいずれか１項に記載のフィードバック情報の受信方法。
【請求項２１】
前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルであることを特徴とする請求項１２ないし請求項１６のいずれか１項に記載のフィードバック情報の受信方法。
【請求項２２】
前記第２ＴＴＩ長は、エレメンタリー短いＴＴＩユニットであり、前記エレメンタリー短いＴＴＩユニットは、時間領域において伝送するエレメンタリー単位であるか、または、
前記第２ＴＴＩ長は、システムによりサポートされる複数のＴＴＩ長のうちの１つであることを特徴とする請求項１２に記載のフィードバック情報の受信方法。
【請求項２３】
ダウンリンク伝送を受信する受信モジュールと、
少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信し、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である送信モジュールとを備えることを特徴とするフィードバック情報の送信装置。
【請求項２４】
前記送信モジュールは、前記ダウンリンク伝送のＴＴＩ長前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数であることを特徴とする請求項２３に記載のフィードバック情報の送信装置。
【請求項２５】
前記送信モジュールは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値であることを特徴とする請求項２３に記載のフィードバック情報の送信装置。
【請求項２６】
前記送信モジュールは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定することを特徴とする請求項２３に記載のフィードバック情報の送信装置。
【請求項２７】
前記送信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定することを特徴とする請求項２６に記載のフィードバック情報の送信装置。
【請求項２８】
前記設定シグナリングは、高位層シグナリングであるか、前記設定シグナリングであり、前記ダウンリンク伝送に対応する第１物理ダウンリンク制御チャネルに含まれ、
及び/または、前記設定シグナリング、異なるＴＴＩ長を利用するダウンリンク伝送のために設定した前記第２ＴＴＩ長は同様であるかまたは異なることを特徴とする請求項２３、請求項２５、請求項２６または請求項２７に記載のフィードバック情報の送信装置。
【請求項２９】
前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示することを特徴とする請求項２３、請求項２５、請求項２６または請求項２７に記載のフィードバック情報の送信装置。
【請求項３０】
前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボルまたはＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩであることを特徴とする請求項２４ないし請求項２７のいずれか１項に記載のフィードバック情報の送信装置。
【請求項３１】
前記送信モジュールがは、複数の前記ダウンリンク伝送のＡＣＫ/ＮＡＣＫフィードバック情報が同１のアップリンク時間領域におけるリソース位置で送信することを確定する場合、
複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードし、前記アップリンク時間領域におけるリソース位置において、前記カスケードされた後のＡＣＫ/ＮＡＣＫフィードバック情報を送信することを特徴とする請求項２３ないし請求項２７のいずれか１項に記載のフィードバック情報の送信装置。
【請求項３２】
前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルであることを特徴とする請求項２３ないし請求項２７のいずれか１項に記載のフィードバック情報の送信装置。
【請求項３３】
前記第２ＴＴＩ長は、エレメンタリー短いＴＴＩユニットであり、前記エレメンタリー短いＴＴＩユニットは、時間領域において伝送するエレメンタリー単位であるか、または、
前記第２ＴＴＩ長は、システムによりサポートされる複数のＴＴＩ長のうちの１つであることを特徴とする請求項２３に記載のフィードバック情報の送信装置。
【請求項３４】
ダウンリンク伝送を送信する送信モジュールと、
少なくとも前記ダウンリンク伝送のＴＴＩ長及び/または第２ＴＴＩ長に基づき、前記ダウンリンク伝送のＡＣＫ/ＮＡＣＫフィードバック情報伝送のアップリンク時間領域におけるリソース位置を確定し、前記アップリンク時間領域におけるリソース位置において、前記ダウンリンク伝送のＡＣＫ/ＮＡＣＫフィードバック情報を受信し、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である受信モジュールとを備えることを特徴とするフィードバック情報の受信装置。
【請求項３５】
前記受信モジュールは、前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数であることを特徴とする請求項３４に記載のフィードバック情報の受信装置。
【請求項３６】
前記受信モジュールは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにいいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値であることを特徴とする請求項３４に記載のフィードバック情報の受信装置。
【請求項３７】
前記受信モジュールは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定することを特徴とする請求項３４に記載のフィードバック情報の受信装置。
【請求項３８】
前記受信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定することを特徴とする請求項３７に記載のフィードバック情報の受信装置。
【請求項３９】
前記設定シグナリングは、高位層シグナリングであるか、前記設定シグナリングであり、前記ダウンリンク伝送に対応する第１物理ダウンリンク制御チャネルに含まれ、
及び/または、前記設定シグナリング、異なるＴＴＩ長を利用するダウンリンク伝送のために設定した前記第２ＴＴＩ長は同様であるかまたは異なることを特徴とする請求項３４、請求項３６、請求項３７または請求項３８に記載のフィードバック情報の受信装置。
【請求項４０】
前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示することを特徴とする請求項３４、請求項３６、請求項３７または請求項３８に記載のフィードバック情報の受信装置。
【請求項４１】
前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボル/ＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩであることを特徴とする請求項３５ないし請求項３８のいずれか１項に記載のフィードバック情報の受信装置。
【請求項４２】
前記受信モジュールは、複数の前記ダウンリンク伝送のＡＣＫ/ＮＡＣＫフィードバック情報が、同１のアップリンク時間領域におけるリソース位置で送信されると確定する場合、
前記ＡＣＫ/ＮＡＣＫフィードバック情報は、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードして得られたものであると確定することを特徴とする請求項３４ないし請求項３８のいずれか１項に記載のフィードバック情報の受信装置。
【請求項４３】
前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルであることを特徴とする請求項３４ないし請求項３８のいずれか１項に記載のフィードバック情報の受信装置。
【請求項４４】
前記第２ＴＴＩ長は、エレメンタリー短いＴＴＩユニットであり、前記エレメンタリー短いＴＴＩユニットは、時間領域において伝送するエレメンタリー単位であるか、または、
前記第２ＴＴＩ長は、システムによりサポートされる複数のＴＴＩ長のうちの１つであることを特徴とする請求項３４に記載のフィードバック情報の受信装置。
【請求項４５】
プロセッサと、送受信機と、メモリとを備え、
前記プロセッサは、メモリに格納されたプログラムを読み出して、請求項１ないし１１に記載のいずれの前記方法を執行することを特徴とする装置。
【請求項４６】
プロセッサと、送受信機と、メモリとを備え、
前記プロセッサは、メモリに格納されたプログラムを読み出して、請求項１２ないし２２に記載のいずれの前記方法を執行することを特徴とする装置。
【発明の詳細な説明】
【技術分野】
【０００１】
本発明は、通信技術分野に関し、特にフィードバック情報の伝送方法及び装置に関する。
【背景技術】
【０００２】
移動体通信トラフィックの需要が変化するにつれて、ITUなどを含む数多くの組織は、将来の移動通信システムに必要とされるように、より短いユーザプレーン遅延を定義している。 ユーザプレーン遅延を短縮するための１般的な方法は、送信時間間隔（ＴＴＩ，Trａｎsmissioｎ Time Iｎtervａl）の長さを短縮することである。トラヒックチャネルのＴＴＩが低減された後、ダウンリンクデータのＡＣＫ（Ａｃｋｎｏｗｌｅｄｇｅｍｅｎｔ）/ＮＡＣＫ（Ｎｏｎ-Ａｃｋｎｏｗｌｅｄｇｅｍｅｎｔ）フィードバック情報をどのように送信するかに関する解決策は今まで存在しなかった。
【０００３】
従来のＬＴＥフレーム構成（ＬＴＥ Ｒｅｌ-８/９/１０/１１/１２/１３）に関する説明は以下通りである。
【０００４】
従来のＬＴＥ ＦＤＤシステムにフレーム構成タイプ１（Ｆｒａｍｅ Ｓｔｒｕｃｔｕｒｅ Ｔｙｐｅ １， ＦＳ１と略称）が利用される。システムにおいて、アップリンク及びダウンリンク伝送に異なるキャリア周波数が利用され、アップリンク及びダウンリンク伝送に同様なフレーム構成が利用される。各々キャリアにおいて、１つの１０ｍｓの無線フレームに１０個の１ｍｓサブフレームが含まれ、各々サブフレームを２つの０.５ｍｓのスロットに分割し、アップリンク及びダウンリンクデータ送信のＴＴＩは１ｍｓである。
【０００５】
従来のＬＴＥ ＴＤＤ（Ｔｉｍｅ Ｄｉｖｉｓｉｏｎ Ｄｕｐｌｅｘ，ＴＤＤ）システムにフレーム構成タイプ２（Ｆｒａｍｅ Ｓｔｒｕｃｔｕｒｅ Ｔｙｐｅ ２，ＦＳ２と略称）が利用される。ＴＤＤシステムにおいて、アップリンク及びダウンリンク伝送に同様な周波数上の異なるサブフレームまたは異なるスロットが利用される。図２はＦＳ２構成図である。ＦＳ２における各々１０ｍｓの無線フレームは２つの５ｍｓのハーフフレームより構成され、各々ハーフフレームに５個の１ｍｓのサブフレームが含まれる。ＦＳ２におけるサブフレームは、３種類があり、それぞれは、ダウンリンクサブフレーム、アップリンクサブフレーム及びスペシャルサブフレームである。各々 スペシャルサブフレームは、ダウンリンク伝送スロット（Ｄｏｗｎｌｉｎｋ Ｐｉｌｏｔ Ｔｉｍｅ Ｓｌｏｔ，ＤｗＰＴＳ）、ＧＰ（Ｇｕａｒｄ Ｐｅｒｉｏｄ）及びアップリンク伝送スロット（Ｕｐｌｉｎｋ Ｐｉｌｏｔ Ｔｉｍｅ Ｓｌｏｔ，ＵｐＰＴＳ）との３つの部分より構成される。ここで、ＤｗＰＴＳは、ダウンリンクパイロット、ダウンリンクトラフィックデータ及びダウンリンク制御シグナリングを伝送する。ＧＰは如何なる信号も伝送しない。ＵｐＰＴＳは、ランダムアクセス信号及びＳＲＳ（Ｓｏｕｎｄｉｎｇ Ｒｅｆｅｒｅｎｃｅ Ｓｙｍｂｏｌ）のみを伝送し、アップリンクサービスまたはアップリンク制御情報を伝送しない。各々ハーフフレームに少なくとも１つのダウンリンクサブフレーム及び少なくとも１つのアップリンクサブフレーム、及び多くて１つのスペシャルサブフレームが含まれる。ＦＳ２は７種ＵＬ/ＤＬサブフレーム構成を有し、表１に示す。
【０００６】
【表１】
2019514259.tif 000003
【０００７】
従来のＬTE ＦＤＤ/ＴＤＤのＡＣＫ/ＮＡＣＫフィードバッククタイミングを説明する
ＬＴＥ Ｒｅｌ-８システムにおいて、ＦＤＤシステムでは、各々サブフレームにアップリンクリソースがあるため、番号がｎであるダウンリンクサブフレームのＡＣＫ/ＮＡＣＫフィードバック情報は、番号がｎ+４であるアップリンクサブフレームにおいて伝送される。ＴＤＤシステムでは、ＵＬ/ＤＬ伝送に周波数領域リソースを共有するため、表１通りのＵＬ/ＤＬサブフレームを分割する必要がある。異なるダウンリンクサブフレームのＡＣＫ/ＮＡＣＫフィードバック情報は、同１のアップリンクサブフレームにおいて伝送され、表２に示すように、番号がｎであるアップリンクサブフレームに対応する集合Ｋ：｛k0,k1,…kM-1｝における各々ｋ値により、ＡＣＫ/ＮＡＣＫフィードバックを行るダウンリンクサブフレーム（番号がｎ-ｋであるダウンリンクサブフレームが含まれ、スペシャルサブフレームが含まれる）、及び、Ｍ個のダウンリンクサブフレームをフィードバックするＡＣＫ/ＮＡＣＫフィードバック情報を決定することができる。Ｍは、集合Ｋ内のエレメント数であり、異なるアップリンクサブフレーム及び異なるＴＤＤ  ＵＬ/ＤＬ構成の値が異なる可能性がある。
【０００８】
【表２】
2019514259.tif 000004
【０００９】
表２の番号は、無線フレームを単位とし、例えば、サブフレーム番号ｎ-ｋが０より小さければ、当該サブフレームは直前の無線フレームに属することを示す。
【００１０】
キャリアが集約されると、端末は複数のキャリアにわたって同時に動作することができるが、一部のキャリア、例えば、プライマリコンポーネントキャリア（Ｐｒｉｍａｒｙ Ｃｏｍｐｏｎｅｎｔ Ｃａｒｒｉｅｒ，ＰＣＣＰＣＣ）の物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）においてＡＣＫ/ＮＡＣＫフィードバック情報を伝送する。従って、端末は、アップリンクサブフレームにおいて、複数のキャリアに対応するＡＣＫ/ＮＡＣＫフィードバック情報をさらにフィードバックする必要がある。端末のために集約されたすべてのキャリアがＦＤＤキャリアである場合、各々キャリア上のＡＣＫ/ＮＡＣＫフィードバックタイミングは、ｎ+４に従って決定される。端末のために集約されたすべてのＴＤＤキャリアである場合、すべてのＴＤＤキャリアのＴＤＤ  ＵＬ/ＤＬ構成が同様であれば、各々キャリア上のＡＣＫ/ＮＡＣＫフィードバックタイミングは、当該ＴＤＤ  ＵＬ/ＤＬ構成に対応する表２に示すフィードバックタイミングに従って決定される。集約されたＴＤＤキャリアのＴＤＤ  ＵＬ/ＤＬ構成異なる場合、特定の規則に従って、セカンダリコンポーネントキャリア（Ｓｅｃｏｎｄａｒｙ Ｃｏｍｐｏｎｅｎｔ Ｃａｒｒｉｅｒ，ＳＣＣ）のためのＴＤＤ  ＵＬ/ＤＬ構成を定義し、基準ＴＤＤ  ＵＬ/ＤＬ構成に対応する表２に示すフィードバックタイミングでＡＣＫ/ＮＡＣＫフィードバックを行る。端末のために集約されたキャリアにＦＤＤキャリアも、ＴＤＤキャリアも含まれる場合、ＦＤＤキャリアをＰＣＣとすれば、各々キャリア上のＡＣＫ/ＮＡＣＫフィードバックタイミングは、ｎ+４に従って行う。ＴＤＤキャリアをＰＣＣとすれば、特定の規則に従って、ＳＣＣのために基準ＴＤＤ  ＵＬ/ＤＬ構成を定義し、基準ＴＤＤ  ＵＬ/ＤＬ構成に対応する表２に示すフィードバックタイミングで、ＡＣＫ/ＮＡＣＫフィードバックを行う。次のＬＴＥリリース（Ｒｅｌｅａｓｅ）では、集約されたキャリアはさらに複数のキャリアグループにグループ化され、各々キャリアグループ内の１のキャリアにおいてＰＵＣＣＨを介してＡＣＫ/ＮＡＣＫをフィードバックする。このとき、各キャリアグループ内のＳＣＣに対するフィードバックタイミングは、キャリアグループ内の集約されたキャリアに対応する上記の場合のように決定することができる
ＬＴＥシステムにおいて、従来のチャネル伝送に、ＴＴＩ=１ｍｓで定義され、１ｍｓではないＴＴＩを採用する場合、ＴＴＩの長さが異なるデータには、異なる送信および処理遅延が必要であるため、最も早くＡＣＫ/ＮＡＣＫフィードバックを行うことができる時間位置が異なる。この場合、従来のメカニズムで固定ＡＣＫ/ＮＡＣＫフィードバックタイミングに従ってＡＣＫ/ＮＡＣＫフィードバックする方法はもはや適用できないが、従来のメカニズムの固有のＡＣＫ/ＮＡＣＫフィードバックタイミングでＡＣＫ/ＮＡＣＫフィードバックする方法はもはや適用できない。
【発明の概要】
【発明が解決しようとする課題】
【００１１】
本発明に係る実施例はフィードバック情報の伝送方法及び装置を提供し、ダウンリンクデータ伝送に用いる動的に変化するＴＴＩ長に対し、新しいフィードバックタイミングを定義して、処理遅延を満たす最も早いアップリンク送信リソースを介して送信されるダウンリンクデータのＡＣＫ/ＮＡＣＫフィードバック情報を決定し、システム遅延を短縮する。
【課題を解決するための手段】
【００１２】
第１態様によれば、本発明の実施例に係るフィードバック情報の送信方法は、
ダウンリンク伝送を受信するステップと、
少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信するステップとを備え、
前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
【００１３】
当該方法によれば、ダウンリンク伝送を受信し、かつ少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信することにより、新しいフィードバックタイミングを定義して、ダウンリンクデータのＡＣＫ/ＮＡＣＫフィードバック情報が、処理遅延を満たす最も早いアップリンク伝送リソースにおいて伝送されることを確定して、フィードバックすることができ、システム遅延を短縮する。
【００１４】
好ましくは、前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【００１５】
好ましくは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値である。
【００１６】
好ましくは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定する。
【００１７】
好ましくは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【００１８】
好ましくは、前記設定シグナリングは、高位層シグナリングであるか、前記設定シグナリングであり、前記ダウンリンク伝送に対応する第１物理ダウンリンク制御チャネルに含まれ、
及び/または、前記設定シグナリング、異なるＴＴＩ長を利用するダウンリンク伝送のために設定した前記第２ＴＴＩ長は同様であるかまたは異なる
好ましくは、前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示する。
【００１９】
好ましくは、前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボルまたはＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩである。
【００２０】
好ましくは、複数の前記ダウンリンク伝送のＡＣＫ/ＮＡＣＫフィードバック情報が同１のアップリンク時間領域におけるリソース位置で送信されると確定する場合、
複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードし、前記アップリンク時間領域におけるリソース位置において、前記カスケードされた後のＡＣＫ/ＮＡＣＫフィードバック情報を送信する。
【００２１】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。
【００２２】
好ましくは、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【００２３】
第２態様によれば、本発明の実施例に係るフィードバック情報の受信方法は、
ダウンリンク伝送を送信するステップと、
少なくとも前記ダウンリンク伝送のＴＴＩ長及び/または第２ＴＴＩ長に基づき、前記ダウンリンク伝送のＡＣＫ/ＮＡＣＫフィードバック情報伝送のアップリンク時間領域におけるリソース位置を確定し、前記アップリンク時間領域におけるリソース位置において、前記ダウンリンク伝送のＡＣＫ/ＮＡＣＫフィードバック情報を受信するステップとを備え、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
【００２４】
好ましくは、前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【００２５】
好ましくは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにいいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値である。
【００２６】
好ましくは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定する。
【００２７】
好ましくは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【００２８】
好ましくは、前記設定シグナリングは、高位層シグナリングであるか、前記設定シグナリングであり、前記ダウンリンク伝送に対応する第１物理ダウンリンク制御チャネルに含まれ、
及び/または、前記設定シグナリング、異なるＴＴＩ長を利用するダウンリンク伝送のために設定した前記第２ＴＴＩ長は同様であるかまたは異なる。
【００２９】
好ましくは、前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示する。
【００３０】
好ましくは、前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボル/ＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩである。
【００３１】
好ましくは、複数の前記ダウンリンク伝送のＡＣＫ/ＮＡＣＫフィードバック情報が同１のアップリンク時間領域におけるリソース位置で送信されると確定する場合、
前記ＡＣＫ/ＮＡＣＫフィードバック情報は、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードして得られたものであると確定する。
【００３２】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。
【００３３】
好ましくは、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【００３４】
第３態様によれば、本発明の実施例に係るフィードバック情報の送信装置は、
ダウンリンク伝送を受信する受信モジュールと、
少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信し、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である送信モジュールとを備える。
【００３５】
好ましくは、前記送信モジュールは、前記ダウンリンク伝送のＴＴＩ長前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【００３６】
好ましくは、前記送信モジュールは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値である。
【００３７】
好ましくは、前記送信モジュールは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定する。
【００３８】
好ましくは、前記送信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【００３９】
好ましくは、前記設定シグナリングは、高位層シグナリングであるか、前記設定シグナリングであり、前記ダウンリンク伝送に対応する第１物理ダウンリンク制御チャネルに含まれ、
及び/または、前記設定シグナリング、異なるＴＴＩ長を利用するダウンリンク伝送のために設定した前記第２ＴＴＩ長は同様であるかまたは異なる
好ましくは、前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示する。
【００４０】
好ましくは、前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボルまたはＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩである。
【００４１】
好ましくは、前記送信モジュールがは、複数の前記ダウンリンク伝送のＡＣＫ/ＮＡＣＫフィードバック情報が同１のアップリンク時間領域におけるリソース位置で送信することを確定する場合、
複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードし、前記アップリンク時間領域におけるリソース位置において、前記カスケードされた後のＡＣＫ/ＮＡＣＫフィードバック情報を送信する。
【００４２】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。
【００４３】
好ましくは、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【００４４】
第４態様によれば、本発明の実施例に係るフィードバック情報の受信装置は、
ダウンリンク伝送を送信する送信モジュールと、
少なくとも前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を確定し、前記アップリンク時間領域におけるリソース位置において、前記ダウンリンク伝送のＡＣＫ/ＮＡＣＫフィードバック情報を受信し、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である受信モジュールとを備える。
【００４５】
好ましくは、前記受信モジュールは、前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【００４６】
好ましくは、前記受信モジュールは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにいいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値である。
【００４７】
好ましくは、前記受信モジュールは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定する。
【００４８】
好ましくは、前記受信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【００４９】
好ましくは、前記設定シグナリングは、高位層シグナリングであるか、前記設定シグナリングであり、前記ダウンリンク伝送に対応する第１物理ダウンリンク制御チャネルに含まれ、
及び/または、前記設定シグナリング、異なるＴＴＩ長を利用するダウンリンク伝送のために設定した前記第２ＴＴＩ長は同様であるかまたは異なる。
【００５０】
好ましくは、前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示する。
【００５１】
好ましくは、前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボル/ＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩである。
【００５２】
好ましくは、前記受信モジュールは、複数の前記ダウンリンク伝送のＡＣＫ/ＮＡＣＫフィードバック情報が、同１のアップリンク時間領域におけるリソース位置で送信されると確定する場合、
前記ＡＣＫ/ＮＡＣＫフィードバック情報は、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードして得られたものであると確定する。
【００５３】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。
【００５４】
好ましくは、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【００５５】
５番目態様によれば、本発明の実施例に係る装置は、ロセッサと、送受信機と、メモリとを備え、前記プロセッサは、メモリに格納されたプログラムを読み出して、上記第１態様に記載のいずれの前記方法を執行する。
【００５６】
第６態様によれば、本発明の実施例に係る装置は、プロセッサと、送受信機と、メモリとを備え、前記プロセッサは、メモリに格納されたプログラムを読み出して、上記第２態様に記載のいずれの前記的方法を執行する。
【図面の簡単な説明】
【００５７】
本発明に係る実施例や従来の技術方案をより明確に説明するために、以下に実施例を説明するために必要な図面をについて簡単に紹介する。無論、以下の説明における図面は本発明に係る実施例の１部であり、当業者は、創造性作業を行わないことを前提として、これらの図面に基づいて他の図面を得ることができる。
【００５８】
【図１】本発明の実施例に係るフィードバック情報の送信方法のフローチャートである。
【図２】本発明の実施例に係るフィードバック情報の受信方法のフローチャートである。
【図３】本発明の実施例に係るフィードバック情報のフィードバックタイミングを示す図である。
【図４】本発明の実施例に係る第２種のフィードバック情報のフィードバックタイミングを示す図である。
【図５】本発明の実施例に係る第３種のフィードバック情報のフィードバックタイミングを示す図である。
【図６】本発明の実施例に係る第４種のフィードバック情報のフィードバックタイミングを示す図である。
【図７】本発明の実施例に係る５番目種のフィードバック情報のフィードバックタイミングを示す図である。
【図８】本発明の実施例に係るフィードバック情報の送信装置の構成図である。
【図９】本発明の実施例に係るフィードバック情報の受信装置の構成図である。
【図１０】本発明の実施例に係る他のフィードバック情報の送信装置の構成図である。
【図１１】本発明の実施例に係る他のフィードバック情報の受信装置の構成図である。
【発明を実施するための形態】
【００５９】
本発明に係る実施例はフィードバック情報の伝送方法及び装置を提供し、ダウンリンクデータ伝送に用いる動的に変化するＴＴＩ長に対し、新しいフィードバックタイミングを定義して、処理遅延を満たす最も早いアップリンク送信リソースを介して送信されるダウンリンクデータのＡＣＫ/ＮＡＣＫフィードバック情報を決定し、システム遅延を短縮する。
【００６０】
図１に示す、本発明の実施例に係るフィードバック情報の送信方法は、端末（Ｕｓｅｒ Ｅｑｕｉｐｍｅｎｔ，ＵＥ）側において執行され、当該方法は、以下のステップを備える。
【００６１】
Ｓ１０１において、ダウンリンク伝送を受信する。
【００６２】
Ｓ１０２において、少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信し、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
【００６３】
好ましくは、前記設定シグナリングは、高位層シグナリングであるか、前記設定シグナリングであり、前記ダウンリンク伝送に対応する第１物理ダウンリンク制御チャネルに含まれる。及び/または、前記設定シグナリングにより、異なるＴＴＩ長を用いるダウンリンク伝送のために設定されたＡＣＫ/ＮＡＣＫフィードバック情報伝送用のアップリンク時間領域におけるリソース位置を確定するためのＴＴＩ長は同様であるかまたは異なる。
【００６４】
好ましくは、前記設定シグナリングは、ＡＣＫ/ＮＡＣＫフィードバック情報伝送用のアップリンク時間領域におけるリソース位置を確定するためのＴＴＩ長を設定する場合、前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、または、前記設定シグナリングは、前記第２ＴＴＩ長の、前記ダウンリンク伝送のＴＴＩ長に対するオフセット値を指示する。
【００６５】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネル（即ち、動的にスケジューリングされた第１物理ダウンリンク共有チャネル）であるか、または、対応する第１物理ダウンリンク制御チャネルを有さない第１物理ダウンリンク共有チャネル（即ち、ＳＰＳ 第１物理ダウンリンク共有チャネル）である。前記第１物理ダウンリンク制御チャネル及び/または前記第１物理ダウンリンク共有チャネルのＴＴＩ長は１ｍｓより小さいか等しい。勿論その長さが１ｍｓを超える場合を除外しない。
【００６６】
例えば、本発明実施例では、UEはDＬ ＴＴＩ長に基づき、そのＡＣＫ/ＮＡＣＫフィードバックの時間領域位置(即ち、時間領域リソース)を動的に確定することができ、１つのDＬ ＴＴＩの終了位置から、DＬ ＴＴＩ長*３を満たす１番目のUＬ ＴＴＩにおいて、伝送する。
【００６７】
以下、UE側で、フィードバック情報のフィードバックタイミングを確定するいくつかの方式を説明する。
【００６８】
前記ダウンリンク伝送のＴＴＩ長は、Ｌ１ミリ秒（ｍｓ）であるか、またはＬ２個のシンボルである。ここで、Ｌ１は１ｍｓまたは１ｍｓより短い少数の値である。通常のＣＰの場合、Ｌ２は１４であるか、または、１４より小さい値である。拡張ＣＰの場合、Ｌ２は１２または１２より小さい値である。勿論、Ｌ１は１ｍｓより長い少数または整数値であることもできる。通常のＣＰの場合、Ｌ２は１４より大きい値であり、拡張ＣＰの場合、１２より大きい値であることもできる。
【００６９】
少なくとも前記ダウンリンク伝送のＴＴＩ長（即ち、スケジューリングされたダウンリンク伝送のＴＴＩ長、以下も同様）及び/または前記第２ＴＴＩ長に基づき、前記ダウンリンク伝送のＡＣＫ/ＮＡＣＫフィードバック情報を伝送するアップリンク時間領域におけるリソース位置を確定する場合、以下の方式で確定する。
【００７０】
〈方法１〉前記ダウンリンク伝送のＴＴＩ長に基づき、前記ダウンリンク伝送のＡＣＫ/ＮＡＣＫフィードバック情報を伝送するアップリンク時間領域におけるリソース位置を確定する場合、前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００７１】
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００７２】
または、前記ダウンリンク伝送のＴＴＩ長に従ってＴＴＩに番号をつけ、前記ダウンリンク伝送のＴＴＩ番号がｎであれば、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００７３】
または、前記ダウンリンク伝送の終了時間位置または終了シンボル位置の以後、間隔がＬ１*ｋの時間の長さまたはＬ２*ｋ個のシンボル（即ち、間隔に、ＡＣＫ/ＮＡＣＫ伝送位置自身が含まれなく、また、前記ダウンリンク伝送の最後１つのシンボルもふくまれない。シンボル１の例を取って、当該シンボル位置の後、１つのシンボルの間隔を置いて、即ち、シンボル３である）より小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００７４】
上記方法において、前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【００７５】
〈方法２〉前記第２ＴＴＩ長に基づき、前記ダウンリンク伝送のＡＣＫ/ＮＡＣＫフィードバック情報伝送のアップリンク時間領域におけるリソース位置を確定する。
【００７６】
〈方法３〉前記ダウンリンク伝送のＴＴＩ長及び前記第２ＴＴＩ長に基づき、前記ダウンリンク伝送のＡＣＫ/ＮＡＣＫフィードバック情報を伝送するアップリンク時間領域におけるリソース位置を確定する場合、第１ＴＴＩ長に基づいて確定された前記ダウンリンク伝送の終了時間位置または終了シンボル位置（即ち、前記ダウンリンク伝送の開始シンボルから始まり、第１ＴＴＩ長に基づいて確定された終了位置である。当該位置は、実にスケジューリングした当該ダウンリンク伝送のＴＴＩ長に基づいて確定された終了位置より後ろの位置である可能性があり、以下同様）の以後の、Ｌ３*ｋの時間の長さまたは、Ｌ４*ｋ個のシンボルの以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００７７】
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００７８】
または、第１ＴＴＩ長に従ってＴＴＩに番号をつけ、前記ダウンリンク伝送のＴＴＩ番号がｎであれば、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００７９】
または、第１ＴＴＩ長に基づいて確定された前記ダウンリンク伝送の終了時間位置または終了シンボル位置の以後の、間隔がＬ３*ｋの時間の長さまたはＬ４*ｋ個のシンボル（即ち、間隔に、ＡＣＫ/ＮＡＣＫ伝送位置自身が含まれなく、また、前記ダウンリンク伝送の最後１つのシンボルもふくまれない。シンボル１の例を取って、当該シンボル位置の後、１つのシンボルの間隔を置いて、即ち、シンボル３である）より小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００８０】
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００８１】
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００８２】
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【００８３】
前記第１ＴＴＩ長は、前記第２ＴＴＩ長（方法２に対応）であるか、または、前記第１ＴＴＩ長は、前記第２ＴＴＩ長または前記ダウンリンク伝送のＴＴＩ長の最大値（方法に対応）または最小値または平均値である。
【００８４】
前記設定シグナリングにより設定されたＴＴＩ長は、Ｌ３ミリ秒（ｍｓ）またはＬ４個のシンボルである。Ｌ３は、１ｍｓまたは１ｍｓより短い少数の値である。Ｌ４は、前記設定シグナリングにより設定されたシンボル数である。Ｌ４は、通常のＣＰの場合、１４であるかまたは１４より小さい値であり、拡張ＣＰの場合、１２であるかまたは１２より小さい値である。勿論、Ｌ３は１ｍｓより長い少数または整数値であることができ、Ｌ４は通常のＣＰの場合１４より大きい値であり、拡張ＣＰの場合１２より大きい値であることができる。
【００８５】
前記設定シグナリングは高位層シグナリングであり、例えば、無線リソース制御（Ｒａｄｉｏ Ｒｅｓｏｕｒｃｅ Ｃｏｎｔｒｏｌ，ＲＲＣ）シグナリング、媒体アクセス制御（Ｍｅｄｉａ Ａｃｃｅｓｓ Ｃｏｎｔｒｏｌ，ＭＡＣ）シグナリング、ＭＩＢ（Ｍａｓｔｅｒ Ｉｎｆｏｒｍａｔｉｏｎ Ｂｌｏｃｋ）シグナリング、ＳＩＢ（Ｓｙｓｔｅｍ Ｉｎｆｏｒｍａｔｉｏｎ ＢＳｌｏｃｋ）シグナリングなどであることができる。または、前記設定シグナリングは、前記ダウンリンク伝送に対応する第１物理ダウンリンク制御チャネルに含まれることができる。即ち、当該第１物理ダウンリンク制御チャネルに用いられるＤＣＩ内の特定ビットフィールドは、前記第２ＴＴＩ長を示す。
【００８６】
前記設定シグナリング、前記ダウンリンクデータに異なるＴＴＩ長を利用して伝送する場合設定された第２ＴＴＩ長は同様であるか異なる。例えば、データ伝送のＴＴＩ長がａ１である場合、第２ＴＴＩ長をｂ１とするように設定する。データ伝送のＴＴＩ長がａ２ある場合、第２ＴＴＩ長をｂ２とするように設定する。ここで、ａ１、ａ２は、ＴＴＩ長であるかまたはＴＴＩ長の集合である。即ち、ａ１に２つ以上のＴＴＩ長が含まれる場合、ａ１に含まれるＴＴＩ長でデータを伝送際に、ｂ１のＴＴＩ長で、ＡＣＫ/ＮＡＣＫフィードバック情報伝送のアップリンク時間領域におけるリソース位置を確定する。
【００８７】
前記設定シグナリングは第２ＴＴＩ長を直接に指示することができる。当該ＴＴＩ長は予め定義された集合内の１つの値である。前記第２ＴＴＩ長と前記設定シグナリングの指示フィールド状態の対応関係は、予め設定されたか、設けたものである。または、前記設定シグナリングは、第２ＴＴＩ長の、前記ダウンリンク伝送のＴＴＩ長に対するオフセット値を指示する。前記オフセット値と前記設定シグナリングの指示フィールド状態の対応関係は、予め設定されたか、設けたものである。前記オフセット値が０である場合、前記ダウンリンク伝送のＴＴＩ長に基づき、前記ダウンリンク伝送のＡＣＫ/ＮＡＣＫフィードバック情報を伝送するアップリンク時間領域におけるリソース位置を確定することを示す。前記オフセット値が０ではない場合、前記ダウンリンク伝送のＴＴＩ長及び前記オフセット値に基づき、ＡＣＫ/ＮＡＣＫ時間領域位置の確定に用いられる実のＴＴＩ長を決定する。例えば、前記ダウンリンク伝送のＴＴＩ長と前記オフセット値の和、または、前記オフセット値との積を、ＡＣＫ/ＮＡＣＫ時間領域位置の確定に用いられる実のＴＴＩ長とする。設定シグナリングの他の状態で、前記ダウンリンク伝送のＴＴＩ長前記ダウンリンク伝送のＡＣＫ/ＮＡＣＫフィードバック情報を伝送するアップリンク時間領域におけるリソース位置を確定することを示すように約定することができる。残り状態または一部の残り状態で実のオフセット値を示すように約定することもできる。。
【００８８】
上記方法１，２，３において、即ち、処理遅延をダウンリンク伝送処理に関わるＡＣＫ/ＮＡＣＫを生成するステップなどに必要とする時間とすれば、例えば、処理遅延を、前記ダウンリンク伝送のＴＴＩ長*ｋ、または前記第２ＴＴＩ長*ｋ、またはｍａｘ（前記第２ＴＴＩ長とする。前記ダウンリンク伝送のＴＴＩ長）*ｋ，ｍａｘ（ａ,ｂ）は、ａまたはｂのうちの最大値である。ｋは予め定義されたか、設けた正整数の値または少数である。例えば、ｋ=３，即ち、この際の処理遅延にダウンリンク伝送自身の受信時間が含まれない。または、ｋ=４、即ち、この際の処理遅延にダウンリンク伝送自身の受信時間が含まれる。上記方法１，２，３では、処理遅延にダウンリンク伝送自身の受信時間が含まれないの例を取ってが、勿論、処理遅延にダウンリンク伝送自身の受信時間が含まれば、上記記載の遅延起点は、それぞれのダウンリンク伝送自身の開始時間位置であるべきか、開始シンボル位置であり、終了時間位置または終了シンボル位置ではない。具体的な説明は類似するため、繰り返さない。
【００８９】
〈方法４〉フィードバック情報のフィードバックタイミングを確定する場合、前記ダウンリンク伝送のＴＴＩ長及び/または前記第２ＴＴＩ長、及び設定シグナリングにより設定されたフィードバック遅延指示フィールドに基づき前記ダウンリンク伝送のＡＣＫ/ＮＡＣＫフィードバック情報伝送のアップリンク時間領域におけるリソース位置を確定する。
【００９０】
即ち、方法４は、前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定する（当該ステップは、上記方法１，２，３を採用することができる）。
【００９１】
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【００９２】
好ましくは、方法４は、具体的に、前記フィードバック遅延指示フィールドの１つの状態は、「前記ダウンリンク伝送のＴＴＩ長または前記第２ＴＴＩ長に基づき、前記ダウンリンク伝送のＡＣＫ/ＮＡＣＫフィードバック情報伝送のアップリンク時間領域におけるリソース位置を確定する」を示す。前記フィードバック遅延指示フィールド野たの状態または一部の他の状態それぞれは、「前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を確定し、異なる時間の長さを遅延して、前記ダウンリンク伝送のＡＣＫ/ＮＡＣＫフィードバック情報伝送のアップリンク時間領域におけるリソース位置を得る」を示す。遅延の粒度は、１つのＡＣＫ/ＮＡＣＫ伝送に占有された時間領域リソースの長さを単位とし、例えば、ＡＣＫ/ＮＡＣＫ伝送ごとにＳ１つのシンボルやＳ２個のＴＴＩを占有すれば、遅延指示フィールドは、遅延しない、またはＳ１つのシンボルまたはＳ１の整数倍数のシンボルを遅延するように指示ことができる。または、Ｓ２個のＴＴＩまたはＳ２の整数倍数のＴＴＩを遅延するように指示こともできる。また、システムにより定義されたＡＣＫ/ＮＡＣＫ伝送に用いられる時間領域リソースを単位とし、例えば、１つの無線フレームにおいて５つのＡＣＫ/ＮＡＣＫ時間領域におけるリソース位置を定義したのであれば、遅延指示フィールドは、遅延しないか、または、１、２、３、４個のＡＣＫ/ＮＡＣＫ時間領域リソースを遅延するように指示ことができる。
【００９３】
前記ｋは、予め設定されたか、設けた正整数または少数である。例えば、ｋ=３または４であり、または、ｋは３または４より小さい少数である。
【００９４】
前記ＡＣＫ/ＮＡＣＫ伝送に用いられるアップリンク時間領域リソースは、
全部または一部のシンボルがアップリンク伝送に用いられるサブフレーム内のアップリンク伝送に用いられるシンボル/ＴＴＩである。シンボルを例とし、例えば、サブフレーム内の、アップリンク伝送のためのいずれのシンボルでは、当該シンボルが上記条件を満たされば、当該シンボルを起点として、ＡＣＫ/ＮＡＣＫを伝送する。ＡＣＫ/ＮＡＣＫは当該シンボルを占有して伝送されるか、または、当該シンボルのうちの先頭Ａ個のシンボルを占有して伝送される。以当該シンボルから開始する場合、当該シンボルが含まれるサブフレームに連続Ａ個のシンボルがなければ、当該シンボルから開始する連続のアップリンクシンボルを占有して伝送され、または、当該シンボルのみにおいて伝送されるように約定される。これは、アップリンク時間領域リソースが存在すれば、早めにＡＣＫ/ＮＡＣＫフィードバックを行い、遅延を低減することに相当する。ＴＴＩの場合、これと類似し、繰り返して説明しない。
【００９５】
または、アップリンク伝送に用いられるシンボル/ＴＴＩ（即ち、この際に、サブフレーム境界の制限を設定する）である。シンボルを例とし、例えば、作アップリンク伝送のためのいずれかのシンボルに対し、上述のように判断することができる。当該シンボルが上記条件を満足すれば、当該シンボルを起点としてＡＣＫ/ＮＡＣＫを伝送する。ＡＣＫ/ＮＡＣＫは当該シンボルを占有して伝送されるか、または、当該シンボルのうちの先頭Ａ個のシンボルを占有して伝送される。以当該シンボルから開始する場合、連続Ａ個のシンボルがなければ、当該シンボルから開始する連続のアップリンクシンボルを占有して伝送され、または、当該シンボルのみにおいて伝送されるように約定される。これは、アップリンク時間領域リソースが存在すれば、早めにＡＣＫ/ＮＡＣＫフィードバックを行い、遅延を低減することに相当する。条件を満たすシンボルは、サブフレームテールに位置し、当該サブフレームに連続Ａ個のシンボルがないが、次のサブフレームの少なくとも先頭一部のシンボルがアップリンクに用いられる場合、当該シンボルを起点とし、２つのサブフレームわたる連続Ａ個のシンボルを占有して伝送される。ＴＴＩの場合、これと類似し、繰り返して説明しない。
【００９６】
または、全部または一部のシンボルがアップリンク伝送に用いられるサブフレーム内のアップリンク伝送に用いられる一部のシンボル/ＴＴＩである。シンボルを例とし、例えば、前記サブフレーム内のアップリンク伝送に用いられるシンボルのうちの先頭Ｂ個のシンボルまたは後ろのＢ個のシンボルとする。Ｂは、予め設定されたか、または設けた０より大きい正整数である。前記サブフレーム内の特定位置にあるシンボルに対し、上述のように判断する。例えば、当該サブフレーム内のアップリンク伝送に用いられるシンボルのうちの１番目のシンボルまたは、後ろからのＢ番目のシンボルに対して判断する。当該シンボルが上記条件を満足すれば、当該シンボルを起点としてＡＣＫ/ＮＡＣＫを伝送する。ＡＣＫ/ＮＡＣＫは当該シンボルを占有して伝送されるか、または、当該シンボルの最初連続のＢ個のシンボルを占用して伝送される。また、例えば、前記サブフレーム内のアップリンク伝送に用いられるシンボルのうちの１番目のシンボルまたは最後のシンボルに対して判断する。当該シンボルが上記条件を満足すれば、当該シンボルにおいてＡＣＫ/ＮＡＣＫを伝送し、ＡＣＫ/ＮＡＣＫは当該シンボルを占有して伝送される。ＴＴＩの場合、これと類似し、繰り返して説明しない。
【００９７】
または、アップリンク伝送のためのシンボル数がＡより小さくない連続シンボル場合の、サブフレーム内のアップリンク伝送に用いられる全部または一部のシンボル/ＴＴＩである。シンボルを例とし、例えば、当該サブフレーム内のアップリンク伝送のための連続Ｎ個のシンボルのうちの先頭Ａ個のシンボルに対し上述のように判断する（即ち、１番目のシンボルが上述条件を満たすかを判断し、満たされば、先頭Ａ個のシンボルのいずれも満たす）。上述条件を満たされば、前記連続Ｎ個のシンボルのうちの１番目のシンボルを起点として、ＡＣＫ/ＮＡＣＫを伝送する。ＡＣＫ/ＮＡＣＫはＡ個の連続シンボルを占有して伝送される。また、例えば、当該サブフレーム内のアップリンク伝送のための連続Ｎ個のシンボルのうちの後ろのＡ個のシンボル対して上述のように判断する（即ち、当該Ｎ個の連続シンボルのうち後ろからＡ番目のシンボルが上述条件を満たすかを判断し、満たされば、後ろＡ個のシンボルのいずれも満たす）。上述条件を満たされば、前記連続Ｎ個のシンボルのうち後ろからＡ番目のシンボルを起点として、ＡＣＫ/ＮＡＣＫを伝送する。ＡＣＫ/ＮＡＣＫはＡ個の連続シンボルを占有して伝送される。また、例えば、当該サブフレーム内のアップリンク伝送のための連続Ｎ個のシンボルのうちの先頭Ｎ-Ａ個のシンボルそれぞれに対して上述のように判断する（即ち、現在のシンボルが上述条件を満たすかを判断する。満たされば、当該シンボルの最初のＡ個の連続シンボルのいずれも満たす）。上述条件を満たされば、当該シンボルを起点としてＡＣＫ/ＮＡＣＫを伝送する。ＡＣＫ/ＮＡＣＫはＡ個の連続シンボルを占有して伝送される。また、例えば、当該サブフレーム内のアップリンク伝送のための連続Ｎ個のシンボルのうちの後ろのＮ-Ａ個のシンボルそれぞれに対して上述のように判断する（即ち、現在のシンボルが上述条件を満たすかを判断する。満たされば、当該シンボルの最初のＡ個の連続シンボルのいずれも満たす）。上述条件を満たされば、当該シンボルを起点としてＡＣＫ/ＮＡＣＫを伝送する。ＡＣＫ/ＮＡＣＫはＡ個の連続シンボルを占有して伝送される。ＴＴＩの場合、これと類似し、繰り返して説明しない。上記方法１~４でダウンリンク伝送のＡＣＫ/ＮＡＣＫフィードバック情報伝送のアップリンク時間領域におけるリソース位置を確定する場合、複数のダウンリンク伝送のＡＣＫ/ＮＡＣＫフィードバック情報が同１のアップリンク時間領域におけるリソース位置で伝送されると確定すれば、複数のダウンリンク伝送それぞれに対応する第１物理ダウンリンク制御チャネルに用いられるＤＣＩ内のＤＡＩ指示フィールドに基づき、複数のダウンリンク伝送それぞれに対応するＡＣＫ/ＮＡＣＫフィードバック情報をカスケードして、共同してエンコードされだ後、ともに伝送する。ここで、ＤＡＩは、カウンタとして、現在ダウンリンク伝送までに、同１のキャリアにおいてスケジューリングされた、同１の時間領域位置でＡＣＫ/ＮＡＣＫフィードバックするダウンリンク伝送の総数を示すか、または、現在ダウンリンク伝送までに、複数のキャリア及び/またはＴＴＩにおいてスケジューリングされた、同１の時間領域位置でＡＣＫ/ＮＡＣＫフィードバックするダウンリンク伝送の総数を示す。ＤＡＩ値の連続性により、中間位置でダウンリンク伝送の紛失の有無を判断することができる。例えば、受信した１番目のダウンリンク伝送のＤＡＩが１、第２ダウンリンク伝送のＤＡＩが３であれば、受信した第１及び第２のダウンリンク伝送の間、１つのダウンリンク伝送が紛失された。当該紛失されたダウンリンク伝送に対しＮＡＣＫを生成してフィードバック情報とし、また、これによりそのＤＡＩの値が２であると推定でき、ＤＡＩの値に従って当該３つのダウンリンク伝送のＡＣＫ/ＮＡＣＫを順番つけてカスケードすることができる。例えば、ＤＡＩ昇順でカスケードする。また、当該ＤＡＩが示す総数は、半永続スケジューリング（Semi-Ｐersisteｎt Scheduliｎg，ＳＰＳ）第１物理ダウンリンク共有チャネルを含まないことができる。または、当該総数は、ダウンリンクＳＰＳリソースリリースの第１物理ダウンリンク制御チャネル及び対応の第１物理ダウンリンク制御チャネルを有する第１物理ダウンリンク共有チャネルの累積数を示す。
【００９８】
好ましくは、ＳＰＳ 第１物理ダウンリンク共有チャネルの場合、即ち、第１物理ダウンリンク制御チャネルに対応する第１物理ダウンリンク共有チャネルがない場合、上記方法２、３、４を利用し、かつ設定シグナリングが第１物理ダウンリンク制御チャネルにより搬送されば、いつも、当該ＳＰＳ第１物理ダウンリンク共有チャネルを活性化する第１物理ダウンリンク制御チャネル内の指示フィールドによって設定された関連情報に基づき、ＡＣＫ/ＮＡＣＫフィードバックの時間領域位置を確定する。複数のダウンリンク伝送のＡＣＫ/ＮＡＣＫをカスケードする必要があれば、ＳＰＳ第１物理ダウンリンク共有チャネルのＡＣＫ/ＮＡＣＫを、タイミングの最前または最後位置でカスケードするように約定することができる。
【００９９】
好ましくは、前記アップリンク時間領域リソースにおいて、ＰＵＣＣＨまたはＰＵＳＣＨ構成により、前記ＡＣＫ/ＮＡＣＫフィードバック情報を伝送する。ＰＵＣＣＨ構成は、ＰＵＣＣＨ ｆｏｒｍａｔ ４/５のマッピング及び周波数拡張方式を重複利用して、時間領域伝送長及び/または周波数領域リソースサイズのみを変える。勿論、他のＰＵＣＣＨ ｆｏｒｍａｔ構成を利用することもできる。
【０１００】
上述のいずれの実施例によれば、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【０１０１】
対応する基地局側において、図２は本発明の実施例に係るフィードバック情報の受信方法を示す。
【０１０２】
Ｓ２０１において、ダウンリンク伝送を送信する。
【０１０３】
Ｓ２０２において、少なくとも前記ダウンリンク伝送のＴＴＩ長及び/または第２ＴＴＩ長に基づき、前記ダウンリンク伝送のＡＣＫ/ＮＡＣＫフィードバック情報伝送のアップリンク時間領域におけるリソース位置を確定し、前記アップリンク時間領域におけるリソース位置において、前記ダウンリンク伝送のＡＣＫ/ＮＡＣＫフィードバック情報を受信する。前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
【０１０４】
具体的に、端末側のフローチャートと類似し、唯１の相違点として、基地局側の場合、前記アップリンク時間領域におけるリソース位置で、前記ダウンリンク伝送のＡＣＫ/ＮＡＣＫフィードバック情報を「受信」することとなり、繰り返して説明しない。
【０１０５】
好ましくは、前記設定シグナリングは、高位層シグナリングであるか、前記設定シグナリングであり、前記ダウンリンク伝送に対応する第１物理ダウンリンク制御チャネルに含まれ、及び/または、前記設定シグナリング、異なるＴＴＩ長を利用するダウンリンク伝送のために設定した第２ＴＴＩ長は同様であるかまたは異なる
好ましくは、前記設定シグナリングが第２ＴＴＩ長を設定する場合、前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、または、前記設定シグナリングは、前記第２ＴＴＩ長の、前記ダウンリンク伝送のＴＴＩ長に対するオフセット値を指示する。
【０１０６】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。前記第１物理ダウンリンク制御チャネル及び/または前記第１物理ダウンリンク共有チャネルのＴＴＩ長は１ｍｓより小さいか等しい。勿論、ＴＴＩ長が１ｍｓを超えることもできる。
【０１０７】
上記いずれの実施例によれば、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【０１０８】
いか、いくつの実施例を説明する。
【０１０９】
実施例１（方法１に対応する）：図３に示すように、通常のＣＰを用いる１つのＦＤＤキャリアの例を挙げ、ｋ=３であれば、ダウンリンク伝送のＴＴＩ長に基づいてそのＡＣＫ/ＮＡＣＫフィードバックの時間領域位置を確定する。
【０１１０】
１番目のダウンリンクデータ伝送のＴＴＩ長は、１つのシンボルであり、サブフレーム#iのうちの３番目のシンボルを占有して伝送する。１*３の遅延要求に従って、一番早くて、当該シンボル以後の４番目のシンボル（または当該シンボルとの間隔が３個のシンボルより小さくないシンボル）においてＡＣＫ/ＮＡＣＫフィードバックを行う。即ち、当該サブフレーム内の７番目のシンボル（アップリンク）において伝送する。
【０１１１】
２番目ダウンリンクデータ伝送のＴＴＩ長は、１つのシンボルであり、サブフレーム#i内の４番目のシンボルを占有して伝送する。１*３の遅延要求に従って、一番早くて、当該シンボル以後の４番目のシンボル（または当該シンボルとの間隔が３個のシンボルより小さくないシンボル）においてＡＣＫ/ＮＡＣＫフィードバックを行う。即ち、当該サブフレーム内の８番目のシンボル（アップリンク）において伝送する。
【０１１２】
３番目ダウンリンクデータ伝送のＴＴＩ長は２個のシンボルであり、サブフレーム#i内の５番目及び６番目のシンボルを占有して伝送する。２*３の遅延要求に従って、一番早くて、占有された最後１つのシンボル以後の７番目のシンボル（または当該最後１つのシンボルとの間隔が６個のシンボルより小さくないシンボル）においてＡＣＫ/ＮＡＣＫフィードバックを行う。即ち、当該サブフレーム内の１３番目のシンボル（アップリンク）において伝送する。
【０１１３】
４番目ダウンリンクデータ伝送のＴＴＩ長は４個のシンボルであり、サブフレーム#i内の第７~１０個のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。即ち、サブフレーム#i+１内の９番目のシンボル（アップリンク）において伝送する。
【０１１４】
５番目のダウンリンクデータ伝送のＴＴＩ長は４個のシンボルであり、サブフレーム#i内の第１１~１４個のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。即ち、サブフレーム#i+１内の１３番目のシンボル（アップリンク）において伝送する。
【０１１５】
６番目のダウンリンクデータ伝送のＴＴＩ長は５個のシンボルであり、サブフレーム#i+１内の２番目~６番目のシンボルを占有して伝送する。５*３の遅延要求に従って、一番早くて、占有された最後１つのシンボル以後の第１６個のシンボル（または、当該最後１つのシンボルとの間隔が１５個のシンボルより小さくないシンボル）においてＡＣＫ/ＮＡＣＫフィードバックを行う。即ち、サブフレーム#i+２内の９番目のシンボル（アップリンク）において伝送する。
【０１１６】
７番目のダウンリンクデータ伝送のＴＴＩ長は７個のシンボルであり、サブフレーム#i+１内の７番目~１４番目のシンボルを占有して伝送する。７*３の遅延要求に従って、一番早くて、占有された最後１つのシンボル以後の第２２個のシンボル（または当該最後１つのシンボルとの間隔が２１個のシンボルより小さくないシンボル）においてＡＣＫ/ＮＡＣＫフィードバックを行う。即ち、サブフレーム#i+３内の８番目のシンボル（アップリンク）において伝送する。
【０１１７】
当該実施例では、ＦＤＤのいずれのアップリンクサブフレーム内のシンボルそれぞれにおいてＡＣＫ/ＮＡＣＫを伝送できれば、ＡＣＫ/ＮＡＣＫが各アップリンクサブフレーム内の一部のシンボルにおいて伝送されるようにさらに限定する。例えば、最後１つのシンボルでは、１、２、３番目のダウンリンク伝送の場合、上述方式で確定されたＡＣＫ/ＮＡＣＫフィードバック位置でＡＣＫ/ＮＡＣＫを伝送することができないため、サブフレーム#i内の最後１つのシンボルまで遅延してフィードバックしなければならない。４、５番目のダウンリンク伝送も同様に、サブフレーム#i+１内の最後１つのシンボルまでに知恵してフィードバックする。６番目のダウンリンク伝送も同様に、サブフレーム#i+２内の最後１つのシンボルまで遅延してフィードバックする。７番目のダウンリンク伝送伝送も同様に、サブフレーム#i+３内の最後１つのシンボルまで遅延してフィードバックする。この場合、一部のダウンリンク伝送のＡＣＫ/ＮＡＣＫフィードバック遅延を延びることを代償として、アップリンク伝送ＡＣＫ/ＮＡＣＫのオーバーヘッドを低減し、複数のダウンリンク伝送のＡＣＫ/ＮＡＣＫを、同１のアップリンク伝送において、フィードバックする。このような方法も本発明の範囲に属する。勿論、ＡＣＫ/ＮＡＣＫ伝送に用いる位置を、一部のサブフレームまたは一部のサブフレーム内の一部のシンボル位置に限定することもできる。類似する方式を繰り返さない。
【０１１８】
実施例２（方法１）：図４に示すように、通常のＣＰを用いる１つのＴＤＤ  ＵＬ/ＤＬ構成１を利用するＴＤＤキャリアの例を挙げる。ＴＤＤスペシャルサブフレームを、構成７（即ち、ＤｗＰＴＳに１０個のシンボルが含まれＲ、ＧＰは２個のシンボルであり、ＵｐＰＴＳに２個のシンボルが含まれる）を採用するように設定する。アップリンクシンボルそれぞれがＡＣＫ/ＮＡＣＫフィードバックに用いられることができる。ｋ=３であれば、ダウンリンク伝送のＴＴＩ長に基づいて、ＡＣＫ/ＮＡＣＫフィードバックの時間領域位置を確定する。
【０１１９】
１番目のダウンリンクデータ伝送のＴＴＩ長は１２個のシンボルであり、サブフレーム#９内の第３~１４個のシンボルを占有して伝送する。１２*３の遅延要求に従って、一番早くて、占有された最後１つのシンボル以後の第３７個のシンボル（または、当該最後１つのシンボルとの間隔が３６個のシンボルより小さくないシンボル）においてＡＣＫ/ＮＡＣＫフィードバックを行う。当該位置はアップリンクシンボルである。即ち、次の無線フレーム内のサブフレーム#２内の９番目のシンボルにおいて伝送する。
【０１２０】
２番目ダウンリンクデータ伝送のＴＴＩ長は４個のシンボルであり、サブフレーム#０内の３~６番目のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。当該位置上のシンボルがアップリンクのためのものではないため、最も近いアップリンクシンボル位置まで後ろに遅延する。即ち、サブフレーム#１内の１３番目のシンボルにおいて伝送する。
【０１２１】
３番目ダウンリンクデータ伝送のＴＴＩ長は４個のシンボルであり、サブフレーム#０内の７~１０番目のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。当該位置上のシンボルがアップリンクのためのものではないため、最も近いアップリンクシンボル位置まで後ろに遅延する。即ち、サブフレーム#１内の１３番目のシンボルにおいて伝送する。
【０１２２】
４番目ダウンリンクデータ伝送のＴＴＩ長は４個のシンボルであり、サブフレーム#０内の１１~１４番目のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。当該位置はアップリンクシンボルである。即ち、サブフレーム#１内の１３番目のシンボルにおいて伝送する。
【０１２３】
５番目のダウンリンクデータ伝送のＴＴＩ長は、１つのシンボルであり、サブフレーム#１内の３番目のシンボルを占有して伝送する。１*３の遅延要求に従って、一番早くて、当該シンボル以後の４番目のシンボル（または当該シンボルとの間隔が３個のシンボルより小さくないシンボル）においてＡＣＫ/ＮＡＣＫフィードバックを行う。当該位置上のシンボルがアップリンクのためのものではないため、最も近いアップリンクシンボル位置まで後ろに遅延する。即ち、サブフレーム#１内の１３番目のシンボルにおいて伝送する。
【０１２４】
６番目のダウンリンクデータ伝送のＴＴＩ長は、１つのシンボルであり、サブフレーム#１内の４番目のシンボルを占有して伝送する。１*３の遅延要求に従って、一番早くて、当該シンボル以後の４番目のシンボル（または当該シンボルとの間隔が３個のシンボルより小さくないシンボル）においてＡＣＫ/ＮＡＣＫフィードバックを行う。当該位置上のシンボルがアップリンクのためのものではないため、最も近いアップリンクシンボル位置まで後ろに遅延する。即ち、サブフレーム#１内の１３番目のシンボルにおいて伝送する。
【０１２５】
７番目のダウンリンクデータ伝送のＴＴＩ長は６個のシンボルであり、サブフレーム#１内の５番目~１０個のシンボルを占有して伝送する。６*３の遅延要求に従って、一番早くて、占有された最後１つのシンボル以後の１９番目のシンボル（または当該最後１つのシンボルとの間隔が１８個のシンボルより小さくないシンボル）においてＡＣＫ/ＮＡＣＫフィードバックを行う。当該位置はアップリンクシンボルである。即ち、サブフレーム#３内の１番目のシンボルにおいて伝送する。
【０１２６】
実施例３（方法１）：図５に示すように、通常のＣＰを用いるＴＤＤ  ＵＬ/ＤＬ構成１を利用するＴＤＤキャリアの例を挙げる。ＴＤＤ スペシャルサブフレームを構成７（即ち、ＤｗＰＴＳに１０個のシンボルが含まれ、ＧＰが２個のシンボルであり、ＵｐＰＴＳに２個のシンボルが含まれる）を利用するように設定する。無線フレーム内のサブフレーム#２及び#３内の最後１つのシンボルのみが、ＡＣＫ/ＮＡＣＫフィードバックに用いられる。ｋ=３であれば、直接にダウンリンク伝送のＴＴＩ長に基づいて、そのＡＣＫ/ＮＡＣＫフィードバックの時間領域位置を確定する。
【０１２７】
１番目のダウンリンクデータ伝送のＴＴＩ長は１２個のシンボルであり、サブフレーム#９内の第３~１４個のシンボルを占有して伝送する。１２*３の遅延要求に従って、一番早くて、占有された最後１つのシンボル以後の第３７個のシンボル（または当該最後１つのシンボルとの間隔が３６個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、次の無線フレーム内のサブフレーム#２内の最後１つのシンボルにおいて伝送する。
【０１２８】
２番目のダウンリンクデータ伝送のＴＴＩ長は４個のシンボルであり、サブフレーム#０内の３~６番目のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。当該位置上のシンボルがアップリンクのためのものではないため、ＡＣＫ/ＮＡＣＫフィードバックに用いられる最も近いアップリンクシンボル位置まで後ろに遅延し、即ち、サブフレーム#２内の最後１つのシンボルにおいて伝送する。
【０１２９】
３番目ダウンリンクデータ伝送のＴＴＩ長は４個のシンボルであり、サブフレーム#０内の７~１０番目のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。当該位置上のシンボルがアップリンクのためのものではないため、ＡＣＫ/ＮＡＣＫフィードバックに用いられる最も近いアップリンクシンボル位置まで後ろに遅延し、即ち、サブフレーム#２内の最後１つのシンボルにおいて伝送する。
【０１３０】
４番目ダウンリンクデータ伝送のＴＴＩ長は４個のシンボルであり、サブフレーム#０内の１１~１４番目のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、サブフレーム#２内の最後１つのシンボルにおいて伝送する。
【０１３１】
５番目のダウンリンクデータ伝送のＴＴＩ長は、１つのシンボルであり、サブフレーム#１内の３番目のシンボルを占有して伝送する。１*３の遅延要求に従って、一番早くて、当該シンボル以後の４番目のシンボル（または当該シンボルとの間隔が３個のシンボルより小さくないシンボル）においてＡＣＫ/ＮＡＣＫフィードバックを行う。当該位置上のシンボルがアップリンクのためのものではないため、ＡＣＫ/ＮＡＣＫフィードバックに用いられる最も近いアップリンクシンボル位置まで後ろに遅延し、即ち、サブフレーム#２内の最後１つのシンボルにおいて伝送する。
【０１３２】
６番目のダウンリンクデータ伝送のＴＴＩ長は、１つのシンボルであり、サブフレーム#１内の４番目のシンボルを占有して伝送する。１*３の遅延要求に従って、一番早くて、当該シンボル以後の４番目のシンボル（または当該シンボルとの間隔が３個のシンボルより小さくないシンボル）においてＡＣＫ/ＮＡＣＫフィードバックを行う。当該位置上のシンボルがアップリンクのためのものではないため、ＡＣＫ/ＮＡＣＫフィードバックに用いられる最も近いアップリンクシンボル位置まで後ろに遅延し、即ち、サブフレーム#２内の最後１つのシンボルにおいて伝送する。
【０１３３】
７番目のダウンリンクデータ伝送のＴＴＩ長は６個のシンボルであり、サブフレーム#１内の５番目~１０個のシンボルを占有して伝送する。６*３の遅延要求に従って、一番早くて、占有された最後１つのシンボル以後の１９番目のシンボル（または当該最後１つのシンボルとの間隔が１８個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、サブフレーム#３内の最後１つのシンボルにおいて伝送する。
【０１３４】
実施例４（方法２）：図６に示すように、通常のＣＰを用いるＴＤＤ  ＵＬ/ＤＬ構成１を利用するＴＤＤキャリアの例を挙げる。ＴＤＤ スペシャルサブフレームを構成７（即ち、ＤｗＰＴＳに１０個のシンボルが含まれ、ＧＰが２個のシンボルであり、ＵｐＰＴＳに２個のシンボルが含まれる）を用いるように設定する。フレーム内のサブフレーム#２及び#３内の最後１つのシンボルのみが、ＡＣＫ/ＮＡＣＫフィードバックに用いられる。ｋ=３であれば、負荷の均衡性のため（他の目的で当該方式を採用することもでき、例えば、異なる端末のＡＣＫ/ＮＡＣＫリソース衝突など）、１方式として、各ダウンリンク伝送に対し、ＲＲＣで、８であるＴＴＩ長に基づいてそのＡＣＫ/ＮＡＣＫフィードバックの時間領域位置を確定する（ここで、ＲＲＣにより設定された指示フィールドとび設定されたＴＴＩ長の対応関係は下記表３と類似する。また、ＲＲＣシグナリングが、スケジューリングＴＴＩ長のオフセット値に基づいて、ＡＣＫ/ＮＡＣＫフィードバックの時間領域位置を確定するＴＴＩ長を確定することができ、下記表４と類似する），他の方式としては、ダウンリンク伝送に対応する制御チャネルのＤＣＩ内の第１ビットフィールドにより、当該ダウンリンク伝送のＡＣＫ/ＮＡＣＫフィードバック時間領域位置を確定するＴＴＩ長１つを指示することである。
【０１３５】
１番目のダウンリンクデータ伝送のＴＴＩ長は８個のシンボルであり、サブフレーム#０内の３~１０番目のシンボルを占有して伝送する。ＲＲＣにより設定された８個のシンボルであるＴＴＩ長に基づき、フィードバック位置を確定すれば、８*３の遅延要求に従って、一番早くて、占有された最後１つのシンボル以後の２５番目のシンボル（または当該最後１つのシンボルとの間隔が２４個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、現在無線フレーム内のサブフレーム#２内の最後１つのシンボルにおいて伝送する。当該ダウンリンク伝送に対応するＤＣＩ内の第１指示フィールドに基づいて確定すれば、第１指示フィールドを取得する。この際、例えば、第１指示フィールドが示す関係は表３に示すように、例えば、当該１番目のダウンリンクデータ伝送に対応するＤＣＩ内の第１指示フィールドが「１１０」であり、ＴＴＩ長が８シンボルであるとして、フィードバック位置を確定することを意味する。８*３の遅延要求に従って、確定結果は上述と同様である。または、第１指示フィールドが示す関係は表４に示すように、例えば、当該１番目のダウンリンクデータ伝送に対応するＤＣＩ内の第１指示フィールドが「００」であれば、実にシグナリングされた８シンボルであるＴＴＩ長に基づいてフィードバック位置を確定することを示す。８*３の遅延要求に従って、確定結果は上述と同様である。（表３及び表４内の他の対応方式は、例えば、テーブル内の値を変えるか、値の単位を変えるか、または、テーブル内の第１指示フィールドのビット数を変えるか、テーブル内の各第１指示フィールド状態と示す値の対応関係は、全部本発明の保護範囲に属する）
【０１３６】
【表３】
2019514259.tif 000005
【０１３７】
【表４】
2019514259.tif 000006
【０１３８】
２番目ダウンリンクデータ伝送のＴＴＩ長は４個のシンボルであり、サブフレーム#０内の１１~１４番目のシンボルを占有して伝送する。ＲＲＣにより設定された８個のシンボルであるＴＴＩ長に基づいてフィードバック位置を確定すれば、８*３の遅延要求に従って、一番早くて、占有された最後１つのシンボル以後の２５番目のシンボル（または当該最後１つのシンボルとの間隔が２４個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、現在無線フレーム内のサブフレーム#２内の最後１つのシンボルにおいて伝送する。当該ダウンリンク伝送に対応するＤＣＩ内の第１指示フィールドに基づいて確定すれば、第１指示フィールドを取得する。例えば、「１１０」であれば、表３の対応関係によれば、８個のシンボルであるＴＴＩ長に基づいてフィードバック位置を確定することを示す。また、例えば、第１指示フィールドが「１０」であれば、表４の対応関係に従い、当該ダウンリンク伝送のＴＴＩ長に対するオフセットまたは４個のシンボルを増加して得られた８個のシンボルであるＴＴＩ長に基づいてフィードバック位置を確定することを示す。８*３の遅延要求に従って、確定結果は上述と同様である。
【０１３９】
３番目ダウンリンクデータ伝送のＴＴＩ長は２個のシンボルであり、サブフレーム#１内の３~４番目のシンボルを占有して伝送する。ＲＲＣにより設定された８個のシンボルであるＴＴＩ長に基づいてフィードバック位置を確定すれば、８*３の遅延要求に従って、一番早くて、占有された最後１つのシンボル以後の２５番目のシンボル（または当該最後１つのシンボルとの間隔が２４個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、現在無線フレーム内のサブフレーム#３内の最後１つのシンボルにおいて伝送する。当該ダウンリンク伝送に対応するＤＣＩ内の第１指示フィールドに基づいて確定すれば、第１指示フィールドを取得する。例えば、「１００」であれば、表３の対応関係に従い、６個のシンボルであるＴＴＩ長に基づいてフィードバック位置を確定する。また、例えば、第１指示フィールドが「１０」であれば、表４の対応関係に従い、当該ダウンリンク伝送のＴＴＩ長に対するオフセットまたは４個のシンボルを増加して得られたＴＴＩ長に基づき、即ち、６個のシンボルであるＴＴＩ長に基づきフィードバック位置を確定する。６*３の遅延要求に従って、一番早くて、占有された最後１つのシンボル以後の１９番目のシンボル（または当該最後１つのシンボルとの間隔が１８個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、現在無線フレーム内のサブフレーム#３内の最後１つのシンボルにおいて伝送する。
【０１４０】
４番目ダウンリンクデータ伝送のＴＴＩ長は６個のシンボルであり、サブフレーム#１内の５番目~１０個のシンボルを占有して伝送する。ＲＲＣにより設定された８個のシンボルであるＴＴＩ長に基づいてフィードバック位置を確定すれば、８*３の遅延要求に従って、一番早くて、占有された最後１つのシンボル以後の２５番目のシンボル（または当該最後１つのシンボルとの間隔が２４個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、現在無線フレーム内のサブフレーム#３内の最後１つのシンボルにおいて伝送する。当該ダウンリンク伝送に対応するＤＣＩ内の第１指示フィールドに基づいて確定すれば、第１指示フィールドを取得する。例えば、「１００」であれば、表３の対応関係に従い、６個のシンボルであるＴＴＩ長に基づいてフィードバック位置を確定する。また、例えば、第１指示フィールドが「００」であれば、表４の対応関係に従い、実にスケジューリングされた６個のシンボルであるＴＴＩ長に基づいてフィードバック位置を確定する。６*３の遅延要求に従って、一番早くて、占有された最後１つのシンボル以後の１９番目のシンボル（または当該最後１つのシンボルとの間隔が１８個のシンボルより小さくないシンボル）においてＡＣＫ/ＮＡＣＫフィードバックを行う。当該位置がアップリンクシンボルであっても設定したＡＣＫ/ＮＡＣＫ伝送ためのシンボルではないため、ＡＣＫ/ＮＡＣＫフィードバックに用いられる最も近いアップリンクシンボル位置まで後ろに遅延し、即ち、現在無線フレーム内のサブフレーム#３内の最後１つのシンボルにおいて伝送する。
【０１４１】
方法３を利用する場合、ステップは実施例４の方法２と類似し、唯一の異なるところは、ＡＣＫ/ＮＡＣＫフィードバックの時間領域位置を確定する前、実にスケジューリングされたＴＴＩ長及び設定されたＴＴＩ長に基づき、ＡＣＫ/ＮＡＣＫフィードバックの時間領域位置を確定するＴＴＩ長を確定することにある。例えば、両者の最大値を確定し、当該ＴＴＩ長に基づき、上述のステップでＡＣＫ/ＮＡＣＫフィードバックの時間領域位置を確定する。繰り返して説明しない。
【０１４２】
実施例５（方法４）：図７に示すように、通常のＣＰを用いる１つのＦＤＤキャリアの例を挙げる。ｋ=３であれば、いずれのアップリンクシンボルもＡＣＫ/ＮＡＣＫフィードバックに用いられる。ダウンリンク伝送のＴＴＩ長以及ＲＲＣまたはＤＣＩ内のフィードバック遅延指示フィールドに基づき、そのＡＣＫ/ＮＡＣＫフィードバックの時間領域位置を確定する。そのフィードバック遅延指示フィールドにより示された対応関係は下記表５に示す。（他の対応方式は、例えば、テーブル内の値を変えるか、値の単位を変えるか、または、テーブル内の第１指示フィールドのビット数を変えるか、テーブル内の各第１指示フィールド状態と示す値の対応関係は、全部本発明の保護範囲に属する）。
【０１４３】
【表５】
2019514259.tif 000007
【０１４４】
１番目のダウンリンクデータ伝送のＴＴＩ長は２個のシンボルであり、サブフレーム#i内の３~４番目のシンボルにおいて伝送する。２*３の遅延要求に従って、一番早くて、占有された最後１つのシンボル以後の７番目のシンボル（または当該最後１つのシンボルとの間隔が６個のシンボルより小さくないシンボル）においてＡＣＫ/ＮＡＣＫフィードバックを行う。即ち、当該サブフレーム内の第１１つのシンボル（アップリンク）において伝送する。ＤＣＩ内のフィードバック遅延指示フィールドが「１０」であるため、後ろに２つのＡＣＫ/ＮＡＣＫフィードバックリソースを遅延することを示し、当該サブフレーム内の１３番目のシンボル（アップリンク）において伝送することを確定する。
【０１４５】
２番目ダウンリンクデータ伝送のＴＴＩ長は２個のシンボルであり、サブフレーム#i内の５番目~６番目のシンボルを占有して伝送する。２*３の遅延要求に従って、一番早くて、占有された最後１つのシンボル以後の７番目のシンボル（または当該最後１つのシンボルとの間隔が６個のシンボルより小さくないシンボル）においてＡＣＫ/ＮＡＣＫフィードバックを行う。即ち、当該サブフレーム内の１３番目のシンボル（アップリンク）において伝送する。そのＤＣＩ内のフィードバック遅延指示フィールドが「００」であり、後ろに遅延する必要がないことを示し、当該サブフレーム内の１３番目のシンボル（アップリンク）において伝送するように確定する。
【０１４６】
３番目ダウンリンクデータ伝送のＴＴＩ長は４個のシンボルであり、サブフレーム#i内の第７~１０個のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。即ち、サブフレーム#i+１内の９番目のシンボル（アップリンク）において伝送する。しかし、ＤＣＩ内のフィードバック遅延指示フィールドが「１１」であり、後ろに４つのＡＣＫ/ＮＡＣＫフィードバックリソースを遅延することを示し、サブフレーム#i+１内の１３番目のシンボル（アップリンク）において伝送することを確定する。
【０１４７】
４番目ダウンリンクデータ伝送のＴＴＩ長は４個のシンボルであり、サブフレーム#i内の第１１~１４個のシンボルを占有して伝送する。４*３の遅延要求に従って、一番早くて、占有された最後１つのシンボル以後の１３番目のシンボル（または当該最後１つのシンボルとの間隔が１２個のシンボルより小さくないシンボル）においてＡＣＫ/ＮＡＣＫフィードバックを行う。即ち、サブフレーム#i+１内の１３番目のシンボル（アップリンク）において伝送する，そのＤＣＩ内のフィードバック遅延指示フィールド「００」は後ろに遅延しないことを示し、サブフレーム#i+１内の１３番目のシンボル（アップリンク）において伝送することを確定する。
【０１４８】
上述の実施例のＡＣＫ/ＮＡＣＫフィードバック伝送に１つのみのシンボルを占有する例を挙げたが、ＡＣＫ/ＮＡＣＫ伝送に２以上ののシンボルを占有して伝送することもできる。例えば、２、３、４、５、７または１ｍｓ（１２または１４個のシンボル）を占有して、上述方式でＡＣＫ/ＮＡＣＫ伝送の開始シンボル位置を確定する。ただし、候補の開始シンボル位置は、ＡＣＫ/ＮＡＣＫ伝送に占有されたシンボル数Ａに基づいて確定された、連続Ａ個のアップリンクシンボルを有する特定のシンボル位置である。当該シンボル位置から始め、連続の複数のシンボルを占有して伝送する。上述実施例に１つのみのキャリアの例を挙げた。キャリア集約の場合、それぞれのキャリアは、類似の方式で確定することができるが、ＳCCでは、上述遅延に基づいて、ＡＣＫ/ＮＡＣＫフィードバックできるキャリアにおいて１番目の利用可能のアップリンク伝送リソースを探す。また、方法４の場合、ＡＣＫ/ＮＡＣＫフィードバック情報伝送の時間領域位置を確定する方法は、上述方法１，２，３を重複利用することができる。
【０１４９】
上述の核実施例では、設定されたＴＴＩ長を予め設定されたＴＴＩ長に換え、例えば、エレメンタリー短いＴＴＩ長に換える。例えば、１つのシンボルの短いＴＴＩ、または２個のシンボルの短いＴＴＩに換えるＡＣＫ/ＮＡＣＫフィードバック情報伝送の時間領域位置を確定する方法は類似するため、繰り返して説明しない。
【０１５０】
以下、上述方法に対応する装置を説明する。
【０１５１】
図８に示す本発明の実施例に係るフィードバック情報の送信装置は、
ダウンリンク伝送を受信する受信モジュール１１と、
少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する送信モジュール１２とを備える。前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
【０１５２】
好ましくは、前記送信モジュールは、前記ダウンリンク伝送のＴＴＩ長前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１５３】
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１５４】
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。前記ダウンリンク伝送のＴＴＩ番号はｎである。
【０１５５】
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１５６】
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【０１５７】
好ましくは、前記送信モジュールは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１５８】
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１５９】
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎである。
【０１６０】
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１６１】
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１６２】
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１６３】
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０１６４】
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値である。
【０１６５】
好ましくは、前記送信モジュールは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定する。
【０１６６】
好ましくは、前記送信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定する。
【０１６７】
また、設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【０１６８】
好ましくは、前記設定シグナリングは、高位層シグナリングであるか、前記設定シグナリングであり、前記ダウンリンク伝送に対応する第１物理ダウンリンク制御チャネルに含まれる。
【０１６９】
及び/または、前記設定シグナリング、異なるＴＴＩ長を利用するダウンリンク伝送のために設定した前記第２ＴＴＩ長は同様であるかまたは異なる。
【０１７０】
好ましくは、前記設定シグナリングが前記第２ＴＴＩ長を設定する場合、前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示する。
【０１７１】
または、前記設定シグナリングは、前記第２ＴＴＩ長の、前記ダウンリンク伝送のＴＴＩ長に対するオフセット値を指示する。
【０１７２】
好ましくは、前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボルまたはＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩである。
【０１７３】
好ましくは、前記送信モジュールがは、複数の前記ダウンリンク伝送のＡＣＫ/ＮＡＣＫフィードバック情報が同１のアップリンク時間領域におけるリソース位置で送信することを確定する場合、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードし、前記アップリンク時間領域におけるリソース位置において、前記カスケードされた後のＡＣＫ/ＮＡＣＫフィードバック情報を送信する。
【０１７４】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。
【０１７５】
好ましくは、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【０１７６】
図９に示す本発明の実施例に係るフィードバック情報の受信装置は、
ダウンリンク伝送を送信する送信モジュール２１と、
少なくとも前記ダウンリンク伝送のＴＴＩ長及び/または第２ＴＴＩ長に基づき、前記ダウンリンク伝送のＡＣＫ/ＮＡＣＫフィードバック情報伝送のアップリンク時間領域におけるリソース位置を確定し、前記アップリンク時間領域におけるリソース位置において、前記ダウンリンク伝送のＡＣＫ/ＮＡＣＫフィードバック情報を受信する受信モジュール２２とを備える。
【０１７７】
前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
【０１７８】
好ましくは、前記受信モジュールは、前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０１７９】
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０１８０】
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎである。
【０１８１】
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０１８２】
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【０１８３】
好ましくは、前記受信モジュールは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０１８４】
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０１８５】
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎである。
【０１８６】
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにいいて、前記ダウンリンク伝送のＡＣＫ/ＮＡＣＫフィードバック情報を受信することを確定する。
【０１８７】
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０１８８】
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０１８９】
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０１９０】
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値である。
【０１９１】
好ましくは、前記受信モジュールは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定する。
【０１９２】
好ましくは、前記受信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定する。
【０１９３】
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【０１９４】
好ましくは、前記設定シグナリングは、高位層シグナリングであるか、前記設定シグナリングであり、前記ダウンリンク伝送に対応する第１物理ダウンリンク制御チャネルに含まれる。
【０１９５】
及び/または、前記設定シグナリング、異なるＴＴＩ長を利用するダウンリンク伝送のために設定した前記第２ＴＴＩ長は同様であるかまたは異なる。
【０１９６】
好ましくは、前記設定シグナリングが前記第２ＴＴＩ長を設定する場合、前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示するか、または、前記設定シグナリングは、前記第２ＴＴＩ長の、前記ダウンリンク伝送のＴＴＩ長に対するオフセット値を指示する。
【０１９７】
好ましくは、前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボル/ＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩである。
【０１９８】
好ましくは、前記受信モジュールは、複数の前記ダウンリンク伝送のＡＣＫ/ＮＡＣＫフィードバック情報が、同１のアップリンク時間領域におけるリソース位置で送信されると確定する場合、前記ＡＣＫ/ＮＡＣＫフィードバック情報は、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードして得られたものであると確定する。
【０１９９】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。
【０２００】
好ましくは、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【０２０１】
図１０に係る本発明の実施例に係る他ののフィードバック情報の送信装置は、プロセッサ３０１と、メモリ３０４と、送受信機３０２とを備える。
【０２０２】
前記プロセッサ３０１は、メモリ３０４に格納されたプログラムを読み出して、送受信機３０２によりダウンリンク伝送を受信する。
【０２０３】
また、少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、送受信機３０２により、前記アップリンク時間領域におけるリソース位置で前記ダウンリンク伝送のＡＣＫ/ＮＡＣＫフィードバック情報を送信する。前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
【０２０４】
好ましくは、前記プロセッサ３０１は、前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、送受信機３０２により前記アップリンク時間領域におけるリソース位置で前記ダウンリンク伝送のＡＣＫ/ＮＡＣＫフィードバック情報を送信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０２０５】
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０２０６】
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎである。
【０２０７】
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０２０８】
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【０２０９】
好ましくは、前記プロセッサ３０１は、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、送受信機３０２により、前記アップリンク時間領域におけるリソース位置で前記ダウンリンク伝送のＡＣＫ/ＮＡＣＫフィードバック情報を送信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０２１０】
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０２１１】
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎである。
【０２１２】
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０２１３】
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０２１４】
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する；
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定する。
【０２１５】
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値である。
【０２１６】
好ましくは、前記プロセッサ３０１は、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定する。
【０２１７】
好ましくは、前記プロセッサ３０１は、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定する。
【０２１８】
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【０２１９】
好ましくは、前記設定シグナリングは、高位層シグナリングであるか、前記設定シグナリングであり、前記ダウンリンク伝送に対応する第１物理ダウンリンク制御チャネルに含まれる。
【０２２０】
及び/または、前記設定シグナリング、異なるＴＴＩ長を利用するダウンリンク伝送のために設定した前記第２ＴＴＩ長は同様であるかまたは異なる。
【０２２１】
好ましくは、前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示する。
【０２２２】
好ましくは、前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボルまたはＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩである。
【０２２３】
好ましくは、前記プロセッサ３０１は、複数の前記ダウンリンク伝送のＡＣＫ/ＮＡＣＫフィードバック情報が同１のアップリンク時間領域におけるリソース位置で送信されることを確定する場合、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードし、前記アップリンク時間領域におけるリソース位置において、前記カスケードされた後のＡＣＫ/ＮＡＣＫフィードバック情報を送信する。
【０２２４】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。
【０２２５】
好ましくは、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【０２２６】
前記送受信機３０２は、プロセッサ３０１の制御によりデーを送受信する。
【０２２７】
図１０において、バスアーキテクチャは、（バス３００を代表とする）、バス３００は、いずれ数の相互接続するバス及びブリッジを備える。バス３００は、プロセッサ３０１が代表となる１つまたは複数のプロセッサ及びメモリ３０４が代表となるメモリの多様な回路により接続される。バズ３００は、外部設備、電圧レギュレーター及び電力管理回路等の他の回路を接続することもできる。これらは、当該分野の周知技術であるため、本発明において、詳細に説明しない。バスインターフェース３０３はバス３００と送受信機３０２の間にインターフェースを提供する。送受信機３０２は、１つまたは複数の部品であることができ、即ち、送信機及び受信機を備え、伝送媒体を介して他の装置と通信するユニットを提供する。例えば、送受信機３０２は他の外部装置からデータを受信する。送受信機３０２は、プロセッサ３０１により処理されたデータを他の装置に送信する。コンピュータに応じて、ユーザーインターフェース３０５、たとえば、キーパッド、ディスプレー、スピーカー、マイクロホン、ジョイスティック等を提供することができ、これに限られない。
【０２２８】
プロセッサ３０１は、バス３００及び通常の処理（例えば前記運行汎用システム）を管理する。而メモリ３０４は、プロセッサ３０１が動作する際に利用するデータを記憶することができる。
【０２２９】
好ましくは、プロセッサ３０１はＣＰＵ、ＡＳＩＣ、ＦＰＧＡまたはＣＰＬDである。
【０２３０】
図１１に示す本発明の実施例に係る他のフィードバック情報の受信装置は、プロセッサ５０４と、メモリ５０５と、送受信機５０１とを備える。
【０２３１】
前記プロセッサ５０４は、メモリ５０５に格納されたプログラムを読み出して、送受信機５０１により、ダウンリンク伝送を送信する。
【０２３２】
また、少なくとも前記ダウンリンク伝送のＴＴＩ長及び/または第２ＴＴＩ長に基づき、前記ダウンリンク伝送のＡＣＫ/ＮＡＣＫフィードバック情報伝送のアップリンク時間領域におけるリソース位置を確定し、送受信機５０１により、前記アップリンク時間領域におけるリソース位置で前記ダウンリンク伝送のＡＣＫ/ＮＡＣＫフィードバック情報を受信する前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である。
【０２３３】
好ましくは、前記プロセッサ５０４は、前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、送受信機５０１により、前記アップリンク時間領域におけるリソース位置で前記ダウンリンク伝送のＡＣＫ/ＮＡＣＫフィードバック情報を受信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０２３４】
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０２３５】
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎである。
【０２３６】
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０２３７】
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数である。
【０２３８】
好ましくは、前記プロセッサ５０４は、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、送受信機５０１により前記アップリンク時間領域におけるリソース位置で前記ダウンリンク伝送のＡＣＫ/ＮＡＣＫフィードバック情報を受信する場合、第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０２３９】
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０２４０】
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎである。
【０２４１】
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにいいて、前記ダウンリンク伝送のＡＣＫ/ＮＡＣＫフィードバック情報を受信することを確定する。
【０２４２】
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０２４３】
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０２４４】
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定する。
【０２４５】
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値である。
【０２４６】
好ましくは、プロセッサ５０４は、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定する。
【０２４７】
好ましくは、前記受信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定する。
【０２４８】
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定する。
【０２４９】
好ましくは、前記設定シグナリングは、高位層シグナリングであるか、前記設定シグナリングであり、前記ダウンリンク伝送に対応する第１物理ダウンリンク制御チャネルに含まれる。
【０２５０】
及び/または、前記設定シグナリング、異なるＴＴＩ長を利用するダウンリンク伝送のために設定した前記第２ＴＴＩ長は同様であるかまたは異なる。
【０２５１】
好ましくは、前記設定シグナリングが前記第２ＴＴＩ長を設定する場合、前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示する。
【０２５２】
または、前記設定シグナリングは、前記第２ＴＴＩ長の、前記ダウンリンク伝送のＴＴＩ長に対するオフセット値を指示する。
【０２５３】
好ましくは、前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボル/ＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩである。
【０２５４】
好ましくは、プロセッサ５０４は、複数の前記ダウンリンク伝送のＡＣＫ/ＮＡＣＫフィードバック情報在同１のアップリンク時間領域におけるリソース位置で送信することを確定する場合、
前記ＡＣＫ/ＮＡＣＫフィードバック情報は、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードして得られたものであると確定する。
【０２５５】
好ましくは、前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルである。
【０２５６】
好ましくは、前記第２ＴＴＩ長は、エレメンタリー短いＴＴＩユニットであり、前記エレメンタリー短いＴＴＩユニットは、時間領域において伝送するエレメンタリー単位であるか、または、前記第２ＴＴＩ長は、システムによりサポートされる複数のＴＴＩ長のうちの１つである。
【０２５７】
前記送受信機５０１は、プロセッサ５０４の制御によりデーを送受信する。
【０２５８】
図１１において、バスアーキテクチャ（バス５００を代表とする）では、バス５００は、いずれ数の相互接続するバス及びブリッジを備える。バス５００は、、プロセッサ５０４が代表となる１つまたは複数のプロセッサ及びメモリ５０５が代表となるメモリの多様な回路により接続される。バズ５００は、外部設備、電圧レギュレーター及び電力管理回路等の他の回路を接続することもできる。これらは、当該分野の周知技術であるため、本発明において、詳細に説明しない。バスインターフェース５０３は、バス５００と送受信機５０の間にインターフェースを提供する。送受信機５０１は、１つまたは複数の部品であることができ、即ち、送信機及び受信機を備え、伝送媒体を介して他の装置と通信するユニットを提供する。プロセッサ５０４により処理されたデータは、アンテナ５０２を介して、無線媒体において伝送され、また、アンテナ５０２はデータを受信し、かつデータをプロセッサ５０４に転送する。
【０２５９】
プロセッサ５０４は、バス５００は、バズアーキテクチャ及び通常の処理を管理し、タイミング、外部インターフェース、電圧調節、電源管理及び他の制御機能を提供する。メモリ５０５は、プロセッサ５０４が動作する際に利用するデータを記憶することができる。
【０２６０】
好ましくは、プロセッサ５０４は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ-Ｐｒｏｇｒａｍｍａｂｌｅ Ｇａｔｅ Ａｒｒａｙ）、または、ＣＰＬＤ（Ｃｏｍｐｌｅｘ Ｐｒｏｇｒａｍｍａｂｌｅ Ｌｏｇｉｃ Ｄｅｖｉｃｅ）であることができる。
【０２６１】
よって、本発明実施例に係るｓｈｏｒｔｅｎｅｄ ＴＴＩを利用するダウンリンク伝送のＡＣＫ/ＮＡＣＫフィードバック情報伝送案は、ダウンリンク伝送のＴＴＩ長が固定的なものではない場合、ダウンリンク伝送のＡＣＫ/ＮＡＣＫの通常フィードバックをサポートし、フィードバック遅延を短縮し、システム遅延を減少ることができる。
【０２６２】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、１つまたはいは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０２６３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における１つまたはいは複数のフローおよび／またはブロック図における１つまたはいは複数のブロックに指定する機能を実現する。
【０２６４】
これらのコンピュータプログラム指令は又、コンピュータまたはいは他のプログラム可能なデータ処理装置を特定方式で動作させるコンピュータ読取記憶装置に記憶できる。これによって、指令を含む装置は当該コンピュータ読取記憶装置内の指令を実行でき、フロー図における１つまたはいは複数のフローおよび／またはブロック図における１つまたはいは複数のブロックに指定する機能を実現する。
【０２６５】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、１連の操作ステップを実行することによって、関連の処理を実現し、コンピュータまたはいは他のプログラム可能な設備において実行される指令によって、フロー図における１つまたはいは複数のフローおよび／またはブロック図における１つまたはいは複数のブロックに指定する機能を実現する。
【０２６６】
上述した実施形態に記述された技術的な解決手段を改造し、またはいはその中の一部の技術要素を置換することもできる。そのような、改造と置換は本発明の各実施形態の技術の範囲から逸脱するとは見なされない。
【０２６７】
無論、当業者によって、上述した実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【０２６８】
本出願は、２０１６年３月２５日に中国特許局に提出し、出願番号が２０１６１０１８００６１.Ｘであり、発明名称が「フィードバック情報の伝送方法及び装置」及び２０１６年５月１３日に中国特許局に提出し、出願番号が２０１６１０３２０２３６．２であり、発明名称が「フィードバック情報の伝送方法及び装置」との中国特許出願を基礎とする優先権を主張し、その開示の総てをここに取り込む。
【符号の説明】
【０２６９】
１１  受信モジュール
１２  送信モジュール
【図１】
2019514259.tif 000008
【図２】
2019514259.tif 000009
【図３】
2019514259.tif 000010
【図４】
2019514259.tif 000011
【図５】
2019514259.tif 000012
【図６】
2019514259.tif 000013
【図７】
2019514259.tif 000014
【図８】
2019514259.tif 000015
【図９】
2019514259.tif 000016
【図１０】
2019514259.tif 000017
【図１１】
2019514259.tif 000018
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
ダウンリンク伝送を受信するステップと、
少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信するステップとを備え、
前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長であることを特徴とするフィードバック情報の送信方法。
【請求項２】
前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数であり、
及び/または、
前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値であり、
及び/または、
少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定することを特徴とする請求項１に記載のフィードバック情報の送信方法。
【請求項３】
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定することを特徴とする請求項２に記載のフィードバック情報の送信方法。
【請求項４】
前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示することを特徴とする請求項１、請求項２または請求項３に記載のフィードバック情報の送信方法。
【請求項５】
前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボルまたはＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩであることを特徴とする請求項２または請求項３に記載のフィードバック情報の送信方法。
【請求項６】
複数の前記ダウンリンク伝送のＡＣＫ/ＮＡＣＫフィードバック情報が同１のアップリンク時間領域におけるリソース位置で送信されると確定する場合、
複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードし、前記アップリンク時間領域におけるリソース位置において、前記カスケードされた後のＡＣＫ/ＮＡＣＫフィードバック情報を送信し、
及び/または、
前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルであることを特徴とする請求項１ないし請求項５のいずれか１項に記載のフィードバック情報の送信方法。
【請求項７】
前記第２ＴＴＩ長は、エレメンタリー短いＴＴＩユニットであり、前記エレメンタリー短いＴＴＩユニットは、時間領域において伝送するエレメンタリー単位であるか、または、
前記第２ＴＴＩ長は、システムによりサポートされる複数のＴＴＩ長のうちの１つであることを特徴とする請求項１に記載のフィードバック情報の送信方法。
【請求項８】
ダウンリンク伝送を送信するステップと、
少なくとも前記ダウンリンク伝送のＴＴＩ長及び/または第２ＴＴＩ長に基づき、前記ダウンリンク伝送のＡＣＫ/ＮＡＣＫフィードバック情報伝送のアップリンク時間領域におけるリソース位置を確定し、前記アップリンク時間領域におけるリソース位置において、前記ダウンリンク伝送のＡＣＫ/ＮＡＣＫフィードバック情報を受信するステップとを備え、
前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長であることを特徴とするフィードバック情報の受信方法。
【請求項９】
前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数であり、
及び/または、
前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにいいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値であり、
及び/または、
少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定することを特徴とする請求項８に記載のフィードバック情報の受信方法。
【請求項１０】
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定することを特徴とする請求項９に記載のフィードバック情報の受信方法。
【請求項１１】
前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示することを特徴とする請求項８、請求項９または請求項１０に記載のフィードバック情報の受信方法。
【請求項１２】
前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボル/ＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩであることを特徴とする請求項９または請求項１０に記載のフィードバック情報の受信方法。
【請求項１３】
複数の前記ダウンリンク伝送のＡＣＫ/ＮＡＣＫフィードバック情報が同１のアップリンク時間領域におけるリソース位置で送信されると確定する場合、
前記ＡＣＫ/ＮＡＣＫフィードバック情報は、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードして得られたものであると確定し、
及び/または、
前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルであることを特徴とする請求項８ないし請求項１０のいずれか１項に記載のフィードバック情報の受信方法。
【請求項１４】
前記第２ＴＴＩ長は、エレメンタリー短いＴＴＩユニットであり、前記エレメンタリー短いＴＴＩユニットは、時間領域において伝送するエレメンタリー単位であるか、または、
前記第２ＴＴＩ長は、システムによりサポートされる複数のＴＴＩ長のうちの１つであることを特徴とする請求項８に記載のフィードバック情報の受信方法。
【請求項１５】
ダウンリンク伝送を受信する受信モジュールと、
少なくとも前記ダウンリンク伝送のＴＴＩ長及び/または第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信し、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である送信モジュールとを備えることを特徴とするフィードバック情報の送信装置。
【請求項１６】
前記送信モジュールは、前記ダウンリンク伝送のＴＴＩ長前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数であり、
及び/または、
前記送信モジュールは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を送信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を伝送することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値であり、
及び/または、
前記送信モジュールは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定することを特徴とする請求項１５に記載のフィードバック情報の送信装置。
【請求項１７】
前記送信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定することを特徴とする請求項１６に記載のフィードバック情報の送信装置。
【請求項１８】
前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示することを特徴とする請求項１５、請求項１６または請求項１７に記載のフィードバック情報の送信装置。
【請求項１９】
前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボルまたはＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩであることを特徴とする請求項１６または請求項１７に記載のフィードバック情報の送信装置。
【請求項２０】
前記送信モジュールがは、複数の前記ダウンリンク伝送のＡＣＫ/ＮＡＣＫフィードバック情報が同１のアップリンク時間領域におけるリソース位置で送信することを確定する場合、
複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードし、前記アップリンク時間領域におけるリソース位置において、前記カスケードされた後のＡＣＫ/ＮＡＣＫフィードバック情報を送信し、
及び/または、
前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルであることを特徴とする請求項１５または請求項１７に記載のフィードバック情報の送信装置。
【請求項２１】
前記第２ＴＴＩ長は、エレメンタリー短いＴＴＩユニットであり、前記エレメンタリー短いＴＴＩユニットは、時間領域において伝送するエレメンタリー単位であるか、または、
前記第２ＴＴＩ長は、システムによりサポートされる複数のＴＴＩ長のうちの１つであることを特徴とする請求項１５に記載のフィードバック情報の送信装置。
【請求項２２】
ダウンリンク伝送を送信する送信モジュールと、
少なくとも前記ダウンリンク伝送のＴＴＩ長及び/または第２ＴＴＩ長に基づき、前記ダウンリンク伝送のＡＣＫ/ＮＡＣＫフィードバック情報伝送のアップリンク時間領域におけるリソース位置を確定し、前記アップリンク時間領域におけるリソース位置において、前記ダウンリンク伝送のＡＣＫ/ＮＡＣＫフィードバック情報を受信し、前記第２ＴＴＩ長は、設定シグナリング、設定されたまたは予め設定されたＡＣＫ/ＮＡＣＫフィードバック情報伝送用のアップリンク時間領域におけるリソース位置を確定するためのＴＴＩ長である受信モジュールとを備えることを特徴とするフィードバック情報の受信装置。
【請求項２３】
前記受信モジュールは、前記ダウンリンク伝送のＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
前記ダウンリンク伝送の終了時間位置または終了シンボル位置の以後の、Ｌ１*ｋの時間の長さまたはＬ２*ｋ個のシンボルより以後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ１*ｋの時間の長さまたはＬ２*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送のＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、前記ダウンリンク伝送の終了時間位置または終了シンボル位置との間隔がＬ１*ｋの時間の長さまたはＬ２*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ１は時間と単位とする前記ダウンリンク伝送のＴＴＩ長であり、前記Ｌ２はシンボルを単位とする前記ダウンリンク伝送のＴＴＩ長であり、前記ｋは予め設定されたか、設けた正整数または少数であり、
及び/または、
前記受信モジュールは、前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定し、前記アップリンク時間領域におけるリソース位置において、前記ダウンリンク伝送のＡＣＫ/ＮＡＣＫフィードバック情報を受信する場合、
第１ＴＴＩ長に基づいて確定された前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に基づいて確定された前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、第１ＴＴＩ長に従ってＴＴＩに番号をつけ、番号がｎ+ｋであるＴＴＩ後の１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、前記ダウンリンク伝送のＴＴＩ番号はｎであり、
または、第１ＴＴＩ長に基づいて確定された前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにいいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さの以後またはＬ４*ｋ個のシンボルの以後の、１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置の以後の、Ｌ３*ｋの時間の長さまたはＬ４*ｋ個のシンボルより短くない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
または、前記ダウンリンク伝送の終了時間位置または終了シンボル位置との間隔がＬ３*ｋの時間の長さまたはＬ４*ｋ個のシンボルより小さくない１番目のＡＣＫ/ＮＡＣＫ伝送に用いられるアップリンク時間領域リソースにおいて、前記ダウンリンク伝送のＡＣＫ/ＮＡＣＫフィードバック情報を受信することを確定し、
前記Ｌ３は時間と単位とする前記第１ＴＴＩ長であり、前記Ｌ４はシンボルを単位とする前記第１ＴＴＩ長であい、前記ｋは予め設定されたか、設けた正整数または少数であり、前記第１ＴＴＩ長は、前記第２ＴＴＩ長であるか、または、前記第２ＴＴＩ長と前記ダウンリンク伝送のＴＴＩ長の最大値または最小値または平均値であり、
及び/または、
前記受信モジュールは、少なくとも前記ダウンリンク伝送のＴＴＩ長及び/または前記第２ＴＴＩ長に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報伝送のアップリンク時間領域におけるリソース位置を確定することを特徴とする請求項２２に記載のフィードバック情報の受信装置。
【請求項２４】
前記受信モジュールは、前記ダウンリンク伝送のＴＴＩ長及び/または前記第２ＴＴＩ長、及び設定シグナリングにより設定されたフィードバック遅延に基づき、前記ダウンリンク伝送のＡＣＫ/ＮＡＣＫフィードバック情報を伝送するアップリンク時間領域におけるリソース位置を確定する場合、
前記ダウンリンク伝送のＴＴＩ長及び/または前記第２ＴＴＩ長に基づき、前記ダウンリンク伝送のＡＣＫ/ＮＡＣＫフィードバック情報伝送のアップリンク時間領域におけるリソース位置を予備的に確定し、
設定シグナリングにより設定されたフィードバック遅延に基づき、前記予備的に確定された前記ダウンリンク伝送のＡＣＫ/ＮＡＣＫフィードバック情報伝送のアップリンク時間領域におけるリソース位置を遅延させ、遅延された後のアップリンク時間領域におけるリソース位置を、前記ダウンリンク伝送のＡＣＫ/ＮＡＣＫフィードバック情報伝送のアップリンク時間領域におけるリソース位置として最終的に確定することを特徴とする請求項２３に記載のフィードバック情報の受信装置。
【請求項２５】
前記設定シグナリングが前記第２ＴＴＩ長を設定する場合、
前記設定シグナリングは、予め設定されたか、または設けた前記ダウンリンク伝送のＡＣＫ/ＮＡＣＫフィードバック情報伝送のアップリンク時間領域におけるリソース位置を確定するためのＴＴＩ長集合内の１つの値を、前記第２ＴＴＩ長とするように指示し、
または、前記設定シグナリングは、前記第２ＴＴＩ長の、前記ダウンリンク伝送のＴＴＩ長に対するオフセット値を指示することを特徴とする請求項２２、請求項２３または請求項２４に記載のフィードバック情報の受信装置。
【請求項２６】
前記ＡＣＫ/ＮＡＣＫ伝送に用いられるアップリンク時間領域リソースは、
全部または一部のアップリンクサブフレームであり、
または、全部または一部の、アップリンク伝送に用いられるシンボルが含まれるサブフレームであり、
または、全部または一部の、含まれるアップリンク伝送に用いられる連続シンボル数が所定数より小さくないサブフレームであり、
または、全部または一部のアップリンク伝送に用いられるシンボル/ＴＴＩであり、
または、全部または一部のアップリンクサブフレーム内の全部または一部のシンボル/ＴＴＩであり、
または、全部または一部のアップリンクサブフレーム内のＡ個のシンボル/Ｂ個のＴＴＩであり、前記Ａは前記ＡＣＫ/ＮＡＣＫフィードバック情報伝送所に占有すべきシンボル数であり、前記Ａは正整数であり、前記Ｂは前記ＡＣＫ/ＮＡＣＫフィードバック情報伝送所に占有すべきＴＴＩ数であり、前記Ｂは正整数であり、
または、全部または一部の、アップリンク伝送に用いられるシンボルが含まれるアップリンク伝送に用いられるサブフレーム内のアップリンク伝送に用いられる全部または一部のシンボル/ＴＴＩであり、
または、全部または一部の、アップリンク伝送に用いられるシンボルが含まれるサブフレーム内のＡ個のシンボル/Ｂ個のＴＴＩであり、
または、全部または一部の、含まれるアップリンク伝送に用いられる連続シンボル数が所定数より小さくないサブフレーム内のアップリンク伝送に用いられる全部または一部のシンボル/ＴＴＩであり、
または、全部または一部の、含まれるアップリンク伝送に用いられる連続シンボル数が所定数より小さくないサブフレーム内のＡ個のシンボル/Ｂ個のＴＴＩであることを特徴とする請求項２３または請求項２４に記載のフィードバック情報の受信装置。
【請求項２７】
前記受信モジュールは、複数の前記ダウンリンク伝送のＡＣＫ/ＮＡＣＫフィードバック情報が、同１のアップリンク時間領域におけるリソース位置で送信されると確定する場合、
前記ＡＣＫ/ＮＡＣＫフィードバック情報は、複数の前記ダウンリンク伝送それぞれに対応する第１物理ダウンリンク制御チャネルに用いられるＤＣＩ内のＤＡＩ指示フィールドに基づき、複数の前記ダウンリンク伝送のＡＣＫ/ＮＡＣＫフィードバック情報をカスケードして得られたものであると確定し、
及び/または、
前記ダウンリンク伝送は、ダウンリンクＳＰＳリソースをリリースすることを示す第１物理ダウンリンク制御チャネルであるか、または、対応する第１物理ダウンリンク制御チャネルを有する第１物理ダウンリンク共有チャネルであるか、または、対応する第１物理ダウンリンク制御チャネルを有さない第１物理ダウンリンク共有チャネルであることを特徴とする請求項２２ないし請求項２４のいずれか１項に記載のフィードバック情報の受信装置。
【請求項２８】
前記第２ＴＴＩ長は、エレメンタリー短いＴＴＩユニットであり、前記エレメンタリー短いＴＴＩユニットは、時間領域において伝送するエレメンタリー単位であるか、または、
前記第２ＴＴＩ長は、システムによりサポートされる複数のＴＴＩ長のうちの１つであることを特徴とする請求項２２に記載のフィードバック情報の受信装置。
【国際調査報告】
2019514259.tif 000019
2019514259.tif 000020
2019514259.tif 000021
2019514259.tif 000022